(57)【要約】【課題】  自分の移動体通信端末の表示手段に表示される地図画面上の特定の場所に関して他人が入力した情報（登録情報）を、その地図画面から確認する。【解決手段】  本情報配信システムは、第１及び第２の移動体通信端末と、情報配信装置とを備える。第１の移動体通信端末に入力された情報は、その情報に関わる場所を示す位置情報と関連付けた状態で情報配信装置の登録データベースに登録され、その位置情報とともに情報配信装置から第２の移動体通信端末へ配信される。これを受信した第２の移動体通信端末は、その位置情報により特定される位置を含んだ地図画面を表示手段に表示したとき、その地図画面上の当該位置に対応する部分にマークを表示し、このマークが選択されると、対応する登録情報が表示手段に表示される。【選択図】  図１
2006332830.tif 000002
【特許請求の範囲】
【請求項１】
第１の移動体通信端末と、第２の移動体通信端末と、該第２の移動体通信端末に対し、登録情報データベースに登録された登録情報を通信ネットワークを通じて配信する情報配信装置とを備えた情報配信システムにおいて、
上記第１の移動体通信端末は、
上記情報配信装置の上記登録情報データベースに登録すべき登録情報を入力する登録情報入力手段と、
該登録情報入力手段が入力した登録情報を、該登録情報に関わる場所を示す位置情報に関連付けた状態で上記通信ネットワークを介して上記情報配信装置へ送信する送信手段とを有し、
上記情報配信装置は、
上記登録情報データベースを有するデータベース記憶手段と、
上記第１の移動体通信端末から送信された登録情報及びこれに関連付けられた位置情報を上記通信ネットワークを介して受信する受信手段と、
該受信手段が受信した登録情報及び位置情報を互いに関連付けた状態で上記データベース記憶手段内の上記登録情報データベースに登録する登録手段と、
上記第２の移動体通信端末から送信される取得要求に応じ、該登録情報データベースに登録された該取得要求に係る登録情報及びこれに関連付けられた位置情報を、該第２の移動体通信端末へ配信する配信手段とを有し、
上記第２の移動体通信端末は、
操作手段と、
上記取得要求を上記通信ネットワークを介して上記情報配信装置へ送信する送信手段と、
上記情報配信装置から配信された該取得要求に係る登録情報及びこれに関連付けられた位置情報を上記通信ネットワークを介して受信する受信手段と、
地図データを記憶する地図データ記憶手段と、
該地図データ記憶手段に記憶された地図データに基づく地図画面を表示する表示手段と、
上記受信手段が受信した位置情報により特定される位置を含んだ地図画面を該表示手段に表示するとき、該地図画面上の該位置に対応する部分にマークを表示するように、該表示手段を制御する表示制御手段とを有し、
上記表示制御手段は、該表示手段に表示されたマークが上記操作手段により選択されたとき、該マークに対応した位置情報に関連付けられた登録情報を該表示手段に表示させる表示制御を行うことを特徴とする情報配信システム。
【請求項２】
第１の移動体通信端末と、第２の移動体通信端末と、該第２の移動体通信端末に対し、登録情報データベースに登録された登録情報を通信ネットワークを通じて配信する情報配信装置とを備えた情報配信システムにおいて、
上記第１の移動体通信端末は、
上記情報配信装置の上記登録情報データベースに登録すべき登録情報を入力する登録情報入力手段と、
該第１の移動体通信端末の現在位置を示す現在位置情報を取得する現在位置情報取得手段と、
該登録情報入力手段が入力した登録情報を、該第１の移動体通信端末を特定するための端末特定情報に関連付けた状態で上記通信ネットワークを介して上記情報配信装置へ送信する登録情報送信手段と、
該現在位置情報取得手段が取得した現在位置情報を、該端末特定情報に関連付けた状態で上記通信ネットワークを介して上記情報配信装置へ送信する現在位置情報送信手段とを有し、
上記情報配信装置は、
上記登録情報データベースを有するデータベース記憶手段と、
上記第１の移動体通信端末から送信された登録情報及びこれに関連付けられた端末特定情報を上記通信ネットワークを介して受信する登録情報受信手段と、
上記第１の移動体通信端末から送信された現在位置情報及びこれに関連付けられた端末特定情報を上記通信ネットワークを介して受信する現在位置情報受信手段と、
該登録情報受信手段が受信した登録情報及び端末特定情報を互いに関連付けた状態で上記データベース記憶手段内の上記登録情報データベースに登録するとともに、該現在位置情報受信手段が受信した現在位置情報及び端末特定情報を互いに関連付けた状態で上記データベース記憶手段内の上記登録情報データベースに登録する登録手段と、
上記第２の移動体通信端末から送信される現在位置情報取得要求に応じ、該登録情報データベースに登録された該現在位置情報取得要求に係る端末特定情報に関連付けられた現在位置情報を、該第２の移動体通信端末へ配信する現在位置情報配信手段と、
上記第２の移動体通信端末から送信される登録情報取得要求に応じ、該登録情報データベースに登録された該登録情報取得要求に係る端末特定情報に関連付けられた登録情報を、該第２の移動体通信端末へ配信する登録情報配信手段とを有し、
上記第２の移動体通信端末は、
操作手段と、
上記現在位置情報取得要求を上記通信ネットワークを介して上記情報配信装置へ送信する現在位置情報取得要求送信手段と、
上記情報配信装置から配信された該現在位置情報取得要求に係る端末特定情報に関連付けられた現在位置情報を上記通信ネットワークを介して受信する現在位置情報受信手段と、
上記情報配信装置から配信された該登録情報取得要求に係る端末特定情報に関連付けられた登録情報を上記通信ネットワークを介して受信する登録情報受信手段と、
地図データを記憶する地図データ記憶手段と、
該地図データ記憶手段に記憶された地図データに基づく地図画面を表示する表示手段と、
該現在位置情報受信手段が受信した現在位置情報により特定される位置を含んだ地図画面を該表示手段に表示するとき、該地図画面上の該位置に対応する部分にマークを表示するように、該表示手段を制御する表示制御手段とを有し、
上記表示制御手段は、該表示手段に表示されたマークが上記操作手段により選択されたとき、該マークに対応した現在位置情報に係る端末特定情報に関連付けられた登録情報を該表示手段に表示させる表示制御を行うことを特徴とする情報配信システム。
【請求項３】
配信対象の移動体通信端末に対し、登録情報データベースに登録された登録情報を通信ネットワークを通じて配信する情報配信装置において、
上記登録情報データベースを有するデータベース記憶手段と、
上記配信対象の移動体通信端末とは異なる他の移動体通信端末から送信された登録情報及びこれに関連付けられた該登録情報に関わる場所を示す位置情報を上記通信ネットワークを介して受信する受信手段と、
該受信手段が受信した登録情報及び位置情報を互いに関連付けた状態で上記データベース記憶手段内の上記登録情報データベースに登録する登録手段と、
上記配信対象の移動体通信端末から送信される取得要求に応じ、該登録情報データベースに登録された該取得要求に係る登録情報及びこれに関連付けられた位置情報を、該移動体通信端末へ配信する配信手段とを有することを特徴とする情報配信装置。
【請求項４】
請求項３の情報配信装置において、
上記データベース記憶手段は、複数の移動体通信端末が属するグループごとの登録情報データベースを有しており、
上記受信手段は、上記登録情報及びこれに関連付けられた位置情報とともに、送信元の移動体通信端末が属するグループを特定するためのグループ特定情報を上記通信ネットワークを介して受信し、
上記登録手段は、上記受信手段が登録情報及び位置情報とともに受信したグループ特定情報により特定されるグループに対応した登録情報データベースに、該登録情報及び該位置情報を互いに関連付けた状態で登録し、
上記配信手段は、上記配信対象の移動体通信端末から上記取得要求とともに送信されるグループ特定情報から該移動体通信端末が属するグループを特定し、特定したグループに対応した登録情報データベースに登録された該取得要求に係る登録情報及びこれに関連付けられた位置情報を、該移動体通信端末へ配信することを特徴とする情報配信装置。
【請求項５】
請求項３又は４の情報配信装置において、
上記受信手段は、上記登録情報及びこれに関連付けられた位置情報とともに、日にち、時刻又は日時を示す時情報を上記通信ネットワークを介して受信し、
上記登録手段は、上記受信手段が登録情報及び位置情報とともに受信した時情報を、互いに関連付けた状態で上記登録情報データベースに登録し、
上記配信手段は、上記配信対象の移動体通信端末から送信される取得要求に応じ、該登録情報データベースに登録された該取得要求に係る登録情報並びにこれに関連付けられた位置情報及び時情報を、該移動体通信端末へ配信することを特徴とする情報配信装置。
【請求項６】
請求項３、４又は５の情報配信装置において、
登録情報の種類又は内容に応じて互いに異なるマークを示す複数のマーク情報の中から、上記受信手段が受信した登録情報の種類又は内容に対応したマーク情報を選択するマーク情報選択手段を有し、
上記登録手段は、該受信手段が受信した登録情報に関連付けた状態で該マーク情報選択手段が選択したマーク情報を上記登録情報データベースに登録し、
上記配信手段は、上記配信対象の移動体通信端末から送信される取得要求に応じ、該登録情報データベースに登録された該取得要求に係る登録情報並びにこれに関連付けられた位置情報及びマーク情報を、該移動体通信端末へ配信することを特徴とする情報配信装置。
【請求項７】
配信対象の移動体通信端末に対し、登録情報データベースに登録された登録情報を通信ネットワークを通じて配信する情報配信装置において、
上記登録情報データベースを有するデータベース記憶手段と、
上記配信対象の移動体通信端末とは異なる他の移動体通信端末から送信された登録情報及びこれに関連付けられた端末特定情報を上記通信ネットワークを介して受信する登録情報受信手段と、
上記他の移動体通信端末から送信された現在位置情報及びこれに関連付けられた端末特定情報を上記通信ネットワークを介して受信する現在位置情報受信手段と、
該登録情報受信手段が受信した登録情報及び端末特定情報を互いに関連付けた状態で上記データベース記憶手段内の上記登録情報データベースに登録するとともに、該現在位置情報受信手段が受信した現在位置情報及び端末特定情報を互いに関連付けた状態で上記データベース記憶手段内の上記登録情報データベースに登録する登録手段と、
上記配信対象の移動体通信端末から送信される現在位置情報取得要求に応じ、該登録情報データベースに登録された該現在位置情報取得要求に係る端末特定情報に関連付けられた現在位置情報を、該移動体通信端末へ配信する現在位置情報配信手段と、
上記配信対象の移動体通信端末から送信される登録情報取得要求に応じ、該登録情報データベースに登録された該登録情報取得要求に係る端末特定情報に関連付けられた登録情報を、該移動体通信端末へ配信する登録情報配信手段とを有することを特徴とする情報配信装置。
【請求項８】
請求項７の情報配信装置において、
上記データベース記憶手段は、複数の移動体通信端末が属するグループごとの登録情報データベースを有しており、
上記登録情報受信手段は、上記登録情報及びこれに関連付けられた端末特定情報とともに、送信元の移動体通信端末が属するグループを特定するためのグループ特定情報を上記通信ネットワークを介して受信し、
上記現在位置情報受信手段は、上記現在位置情報及びこれに関連付けられた端末特定情報とともに、送信元の移動体通信端末が属するグループを特定するためのグループ特定情報を上記通信ネットワークを介して受信し、
上記登録手段は、上記登録情報受信手段が登録情報及び端末特定情報とともに受信したグループ特定情報により特定されるグループに対応した登録情報データベースに、該登録情報及び該端末特定情報を互いに関連付けた状態で登録するとともに、上記現在位置情報受信手段が現在位置情報及び端末特定情報とともに受信したグループ特定情報により特定されるグループに対応した登録情報データベースに、該現在位置情報及び該端末特定情報を互いに関連付けた状態で登録し、
上記現在位置情報配信手段は、上記配信対象の移動体通信端末から上記現在位置情報取得要求とともに送信されるグループ特定情報から該移動体通信端末が属するグループを特定し、特定したグループに対応した登録情報データベースに登録された該現在位置情報取得要求に係る端末特定情報に関連付けられた現在位置情報を、該移動体通信端末へ配信し、
上記登録情報配信手段は、上記配信対象の移動体通信端末から上記登録情報取得要求とともに送信されるグループ特定情報から該移動体通信端末が属するグループを特定し、特定したグループに対応した登録情報データベースに登録された該登録情報取得要求に係る端末特定情報に関連付けられた登録情報を、該移動体通信端末へ配信することを特徴とする情報配信装置。
【請求項９】
請求項７又は８の情報配信装置において、
上記登録情報受信手段は、上記登録情報及びこれに関連付けられた端末特定情報とともに、日にち、時刻又は日時を示す時情報を上記通信ネットワークを介して受信し、
上記登録手段は、上記登録情報受信手段が登録情報及び端末特定情報とともに受信した時情報を、互いに関連付けた状態で上記登録情報データベースに登録し、
上記登録情報配信手段は、上記配信対象の移動体通信端末から送信される登録情報取得要求に応じ、該登録情報データベースに登録された該登録情報取得要求に係る端末特定情報に関連付けられた登録情報及び時情報を、該移動体通信端末へ配信することを特徴とする情報配信装置。
【請求項１０】
請求項７、８又は９の情報配信装置において、
登録情報の種類又は内容に応じて互いに異なるマークを示す複数のマーク情報の中から、上記登録情報受信手段が受信した登録情報の種類又は内容に対応したマーク情報を選択するマーク情報選択手段を有し、
上記登録手段は、該登録情報受信手段が受信した登録情報に関連付けた状態で該マーク情報選択手段が選択したマーク情報を上記登録情報データベースに登録し、
上記登録情報配信手段は、上記配信対象の移動体通信端末から送信される登録情報取得要求に応じ、該登録情報データベースに登録された該登録情報取得要求に係る端末特定情報に関連付けられた登録情報及びこれに関連付けられたマーク情報を、該移動体通信端末へ配信することを特徴とする情報配信装置。
【請求項１１】
請求項３、４、５、６、７、８、９又は１０の情報配信装置において、
上記登録情報は、上記他の移動体通信端末に入力された文字情報を含むことを特徴とする情報配信装置。
【請求項１２】
請求項３、４、５、６、７、８、９、１０又は１１の情報配信装置において、
上記登録情報は、上記他の移動体通信端末に設けられた撮像手段により撮像して得た画像情報を含むことを特徴とする情報配信装置。
【請求項１３】
請求項３、４、５、６、７、８、９、１０、１１又は１２の情報配信装置において、
上記登録情報は、上記他の移動体通信端末の連絡先情報を含むことを特徴とする情報配信装置。
【発明の詳細な説明】
【技術分野】
【０００１】
本発明は、第１の移動体通信端末により登録された登録情報を、通信ネットワークを介して第２の移動体通信へ配信する情報配信システム、及び、このシステムに用いられる情報配信装置に関するものである。
【背景技術】
【０００２】
特許文献１には、表示手段に表示された地図画面上のアイコンを選択すると、そのアイコンに対応する写真が表示される地図表示装置が記載されている。この地図表示装置は、電子スチルカメラ等により撮影された写真データをその撮影場所の緯度及び経度による位置情報とともに記憶しておき、その位置情報に対応する地図画面上の場所にアイコンを表示する。そして、そのアイコンが利用者によって選択されると、そのアイコンに対応した写真データによる写真画像が表示される。
【０００３】
また、特許文献２、特許文献３及び特許文献４には、他人の移動体通信端末の現在位置情報を取得して、自分の移動体通信端末の表示手段に表示した地図画面上に、当該他人の移動体通信端末の現在位置を表示するシステムが記載されている。これらの特許文献に記載されたシステムでは、他人の移動体通信端末の現在位置情報を、その移動体通信端末に設けられたＧＰＳ（Global Positioning System）受信装置で取得する。そして、当該他人の移動体通信端末で取得した現在位置情報が当該他人の移動体通信端末から自分の移動体通信端末に送信され、自分の移動体通信端末の表示手段に表示した地図画面上に当該他人の移動体通信端末の現在位置が表示される。
【０００４】
【特許文献１】特開２００３−２８８００５号公報
【特許文献２】特開２００３−２１５３１号公報
【特許文献３】特開２００３−１０９１７５号公報
【特許文献４】特開２００２−１０３２１号公報
【発明の開示】
【発明が解決しようとする課題】
【０００５】
ところが、上記特許文献１に記載の地図表示装置において、地図画面上のアイコンを選択したときに表示される写真データは、自分が撮影した写真データである。よって、この地図表示装置では、他人が撮影した写真データを表示させることができない。また、上記特許文献２、３及び４に記載のシステムにおいて、自分の移動体通信端末に表示される地図画面から確認できる情報は、他人の移動体通信端末のＧＰＳ受信装置で取得した現在位置情報だけである。そのため、従来は、他人が入力した写真等の画像情報、文字情報、音情報などの情報（登録情報）を、自分の移動体通信端末の表示手段に表示された地図画面から確認するということはできなかった。しかし、他人が入力した情報を自分の移動体通信端末の表示手段に表示された地図画面から確認することができれば、例えば特定場所（店舗、施設など）について他人が持っている情報を、地図画面上から容易に入手することができるようになる。特に、上記特許文献２、３及び４に記載のシステムのように自分の移動体通信端末に表示される地図画面から他人の移動体通信端末の現在位置を確認する場合、この現在位置のほかに、この他人が入力した情報（プロフィール、コメントなど）も地図画面上から容易に入手することができれば、利用者の利便性が高まる。
【０００６】
本発明は、以上の背景に鑑みなされたものであり、第１の目的は、自分の移動体通信端末の表示手段に表示される地図画面上の特定の場所に関して他人が入力した情報（登録情報）を、その地図画面から確認することを可能にする情報配信システム、及び、このシステムに用いられる情報配信装置を提供することである。
また、第２の目的は、自分の移動体通信端末の表示手段に表示される地図画面上に現在位置が表示される移動体通信端末の利用者（他人）が入力した情報（登録情報）を、その地図画面から確認することを可能にする情報配信システム、及び、このシステムに用いられる情報配信装置を提供することである。
【課題を解決するための手段】
【０００７】
上記第１の目的を達成するために、請求項１の発明は、第１の移動体通信端末と、第２の移動体通信端末と、該第２の移動体通信端末に対し、登録情報データベースに登録された登録情報を通信ネットワークを通じて配信する情報配信装置とを備えた情報配信システムにおいて、上記第１の移動体通信端末は、上記情報配信装置の上記登録情報データベースに登録すべき登録情報を入力する登録情報入力手段と、該登録情報入力手段が入力した登録情報を、該登録情報に関わる場所を示す位置情報に関連付けた状態で上記通信ネットワークを介して上記情報配信装置へ送信する送信手段とを有し、上記情報配信装置は、上記登録情報データベースを有するデータベース記憶手段と、上記第１の移動体通信端末から送信された登録情報及びこれに関連付けられた位置情報を上記通信ネットワークを介して受信する受信手段と、該受信手段が受信した登録情報及び位置情報を互いに関連付けた状態で上記データベース記憶手段内の上記登録情報データベースに登録する登録手段と、上記第２の移動体通信端末から送信される取得要求に応じ、該登録情報データベースに登録された該取得要求に係る登録情報及びこれに関連付けられた位置情報を、該第２の移動体通信端末へ配信する配信手段とを有し、上記第２の移動体通信端末は、操作手段と、上記取得要求を上記通信ネットワークを介して上記情報配信装置へ送信する送信手段と、上記情報配信装置から配信された該取得要求に係る登録情報及びこれに関連付けられた位置情報を上記通信ネットワークを介して受信する受信手段と、地図データを記憶する地図データ記憶手段と、該地図データ記憶手段に記憶された地図データに基づく地図画面を表示する表示手段と、上記受信手段が受信した位置情報により特定される位置を含んだ地図画面を該表示手段に表示するとき、該地図画面上の該位置に対応する部分にマークを表示するように、該表示手段を制御する表示制御手段とを有し、上記表示制御手段は、該表示手段に表示されたマークが上記操作手段により選択されたとき、該マークに対応した位置情報に関連付けられた登録情報を該表示手段に表示させる表示制御を行うことを特徴とするものである。
この情報配信システムにおいては、情報提供元である第１の移動体通信端末に入力された登録情報を、その登録情報に関わる場所を示す位置情報と関連付けた状態で情報配信装置に送信する。これを受信した情報配信装置は、その登録情報及び位置情報を互いに関連付けた状態で登録情報データベースに登録する。そして、情報配信装置は、配信対象である第２の移動体通信端末からの取得要求に応じ、登録情報及びこれに関連付けられた位置情報を、第２の移動体通信端末へ配信する。これを受信した第２の移動体通信端末は、その位置情報により特定される位置を含んだ地図画面を表示手段に表示するとき、その地図画面上の当該位置に対応する部分にマークを表示する。そして、このマークが第２の移動体通信端末の操作手段により選択されたとき、このマークに対応した位置情報に関連付けられた登録情報（上記第１の移動体通信端末に入力された情報）が表示手段に表示される。
このように、本情報配信システムによれば、自分の移動体通信端末（第２の移動体通信端末）の表示手段に表示された地図画面上のマークを選択することで、他人の移動体通信端末（第１の移動体通信端末）に入力された登録情報を表示して確認することができる。
なお、「登録情報」は、第１の移動体通信端末に入力された情報であれば、例えば文字情報でも画像情報でも音情報でもよい。
また、「位置情報」は、登録情報に関わる場所を示す情報であり、登録情報を第１の移動体通信端末に入力されたときに当該第１の移動体通信端末が位置する場所を示す位置情報に限られない。また、「位置情報」は、おおよその場所を特定できるものでも十分である場合があり、この場合には、緯度や経度などの座標情報でなくても、ある程度の広さを持った範囲を特定する情報であってもよい。また、「位置情報」は、当該場所に存在する店舗や施設などを特定するための情報であってもよい。
【０００８】
上記第２の目的を達成するために、請求項２の発明は、第１の移動体通信端末と、第２の移動体通信端末と、該第２の移動体通信端末に対し、登録情報データベースに登録された登録情報を通信ネットワークを通じて配信する情報配信装置とを備えた情報配信システムにおいて、上記第１の移動体通信端末は、上記情報配信装置の上記登録情報データベースに登録すべき登録情報を入力する登録情報入力手段と、該第１の移動体通信端末の現在位置を示す現在位置情報を取得する現在位置情報取得手段と、該登録情報入力手段が入力した登録情報を、該第１の移動体通信端末を特定するための端末特定情報に関連付けた状態で上記通信ネットワークを介して上記情報配信装置へ送信する登録情報送信手段と、該現在位置情報取得手段が取得した現在位置情報を、該端末特定情報に関連付けた状態で上記通信ネットワークを介して上記情報配信装置へ送信する現在位置情報送信手段とを有し、上記情報配信装置は、上記登録情報データベースを有するデータベース記憶手段と、上記第１の移動体通信端末から送信された登録情報及びこれに関連付けられた端末特定情報を上記通信ネットワークを介して受信する登録情報受信手段と、上記第１の移動体通信端末から送信された現在位置情報及びこれに関連付けられた端末特定情報を上記通信ネットワークを介して受信する現在位置情報受信手段と、該登録情報受信手段が受信した登録情報及び端末特定情報を互いに関連付けた状態で上記データベース記憶手段内の上記登録情報データベースに登録するとともに、該現在位置情報受信手段が受信した現在位置情報及び端末特定情報を互いに関連付けた状態で上記データベース記憶手段内の上記登録情報データベースに登録する登録手段と、上記第２の移動体通信端末から送信される現在位置情報取得要求に応じ、該登録情報データベースに登録された該現在位置情報取得要求に係る端末特定情報に関連付けられた現在位置情報を、該第２の移動体通信端末へ配信する現在位置情報配信手段と、上記第２の移動体通信端末から送信される登録情報取得要求に応じ、該登録情報データベースに登録された該登録情報取得要求に係る端末特定情報に関連付けられた登録情報を、該第２の移動体通信端末へ配信する登録情報配信手段とを有し、上記第２の移動体通信端末は、操作手段と、上記現在位置情報取得要求を上記通信ネットワークを介して上記情報配信装置へ送信する現在位置情報取得要求送信手段と、上記情報配信装置から配信された該現在位置情報取得要求に係る端末特定情報に関連付けられた現在位置情報を上記通信ネットワークを介して受信する現在位置情報受信手段と、上記情報配信装置から配信された該登録情報取得要求に係る端末特定情報に関連付けられた登録情報を上記通信ネットワークを介して受信する登録情報受信手段と、地図データを記憶する地図データ記憶手段と、該地図データ記憶手段に記憶された地図データに基づく地図画面を表示する表示手段と、該現在位置情報受信手段が受信した現在位置情報により特定される位置を含んだ地図画面を該表示手段に表示するとき、該地図画面上の該位置に対応する部分にマークを表示するように、該表示手段を制御する表示制御手段とを有し、上記表示制御手段は、該表示手段に表示されたマークが上記操作手段により選択されたとき、該マークに対応した現在位置情報に係る端末特定情報に関連付けられた登録情報を該表示手段に表示させる表示制御を行うことを特徴とするものである。
この情報配信システムにおいて、第１の移動体通信端末は、自己の現在位置情報を、自己の端末特定情報に関連付けた状態で情報配信装置に送信する。これを受信した情報配信装置は、その現在位置情報及び端末特定情報を、互いに関連付けた状態で登録情報データベースに登録する。そして、情報配信装置は、配信対象である第２の移動体通信端末からの現在位置情報取得要求に応じ、上記第１の移動体通信端末から受信した現在位置情報を、第２の移動体通信端末へ配信する。これを受信した第２の移動体通信端末は、受信した現在位置情報により特定される位置を含んだ地図画面を表示手段に表示するとき、その地図画面上の当該位置に対応する部分にマークを表示する。これにより、本情報配信システムでは、自分の移動体通信端末（第２の移動体通信端末）の表示手段に表示された地図画面上に、他人の移動体通信端末（第１の移動体通信端末）の位置が表示される。
更に、本情報配信システムにおいて、情報提供元である第１の移動体通信端末は、入力された登録情報を自己の端末特定情報と関連付けた状態で情報配信装置に送信する。これを受信した情報配信装置は、この登録情報も、上記現在位置情報と同様に第１の移動体通信端末の端末特定情報に関連付けた状態で、登録情報データベースに登録する。情報配信装置は、配信対象である第２の移動体通信端末からの登録情報取得要求に応じ、上記第１の移動体通信端末から受信した登録情報を、第２の移動体通信端末へ配信する。そして、第２の移動体通信端末において、表示手段に表示された地図画面上に表示されている第１の移動体通信端末の位置を示すマークが操作手段により選択されると、受信した登録情報すなわちこのマークに対応した位置情報に係る端末特定情報に関連付けられた登録情報（上記第１の移動体通信端末に入力された情報）が表示手段に表示される。
このように、本情報配信システムによれば、自分の移動体通信端末（第２の移動体通信端末）の表示手段に表示された地図画面上に表示される他人の移動体通信端末（第１の移動体通信端末）の現在位置を示すマークを選択することで、当該他人の移動体通信端末（第１の移動体通信端末）に入力された登録情報を表示して確認することができる。
なお、「現在位置情報」は、おおよその場所を特定できるものでも十分である場合があり、この場合には、緯度や経度などの座標情報でなくても、ある程度の広さを持った範囲を特定する情報であってもよい。また、「現在位置情報」は、当該場所に存在する店舗や施設などを特定するための情報であってもよい。
【０００９】
また、上記第１の目的を達成するために、請求項３の発明は、配信対象の移動体通信端末に対し、登録情報データベースに登録された登録情報を通信ネットワークを通じて配信する情報配信装置において、上記登録情報データベースを有するデータベース記憶手段と、上記配信対象の移動体通信端末とは異なる他の移動体通信端末から送信された登録情報及びこれに関連付けられた該登録情報に関わる場所を示す位置情報を上記通信ネットワークを介して受信する受信手段と、該受信手段が受信した登録情報及び位置情報を互いに関連付けた状態で上記データベース記憶手段内の上記登録情報データベースに登録する登録手段と、上記配信対象の移動体通信端末から送信される取得要求に応じ、該登録情報データベースに登録された該取得要求に係る登録情報及びこれに関連付けられた位置情報を、該移動体通信端末へ配信する配信手段とを有することを特徴とするものである。
この情報配信装置においては、情報提供元である他の移動体通信端末から送信された登録情報及びこれに関連付けられた位置情報を受信すると、その登録情報及び位置情報を互いに関連付けた状態で登録情報データベースに登録する。そして、配信対象の移動体通信端末からの取得要求に応じ、当該登録情報及びこれに関連付けられた位置情報を、その配信対象の移動体通信端末へ配信する。これにより、配信対象の移動体通信端末は、他の移動体通信端末からの登録情報及びこれに関連付けられた位置情報を取得することができる。その結果、これらの情報に基づいて、配信対象の移動体通信端末では地図画面上から当該登録情報を確認することが可能になる。
特に、本情報配信装置を、請求項１の情報配信システムにおける情報配信装置として利用すれば、上述したように、自分の移動体通信端末（配信対象の移動体通信端末）の表示手段に表示された地図画面上のマークを選択することで、他の移動体通信端末からの登録情報を表示して確認することができるようになる。
【００１０】
また、請求項４の発明は、請求項３の情報配信装置において、上記データベース記憶手段は、複数の移動体通信端末が属するグループごとの登録情報データベースを有しており、上記受信手段は、上記登録情報及びこれに関連付けられた位置情報とともに、送信元の移動体通信端末が属するグループを特定するためのグループ特定情報を上記通信ネットワークを介して受信し、上記登録手段は、上記受信手段が登録情報及び位置情報とともに受信したグループ特定情報により特定されるグループに対応した登録情報データベースに、該登録情報及び該位置情報を互いに関連付けた状態で登録し、上記配信手段は、上記配信対象の移動体通信端末から上記取得要求とともに送信されるグループ特定情報から該移動体通信端末が属するグループを特定し、特定したグループに対応した登録情報データベースに登録された該取得要求に係る登録情報及びこれに関連付けられた位置情報を、該移動体通信端末へ配信することを特徴とするものである。
この情報配信装置においては、登録情報データベースを、複数の移動体通信端末が属するグループごとに記憶している。本情報配信装置は、上記他の移動体通信端末から登録情報及び位置情報とともにグループ特定情報を受信すると、当該登録情報及び位置情報を、そのグループ特定情報により特定されるグループに対応した登録情報データベースに登録する。そして、配信対象の移動体通信端末からの取得要求を受けたとき、この取得要求とともに当該配信対象の移動体通信端末から送信されてくるグループ特定情報により特定されるグループの登録情報データベースに登録された当該登録情報及びこれに関連付けられた位置情報を、その配信対象の移動体通信端末へ配信する。これにより、配信対象の移動体通信端末は、同じグループに属する他の移動体通信端末からの登録情報及びこれに関連付けられた位置情報を取得することができ、地図画面上から当該登録情報を確認することが可能になる。しかも、情報提供元である他の移動体通信端末から見れば、自分の登録情報を確認できる移動体通信端末が同じグループに属する移動体通信端末に限られるため、登録情報の使用について安全性が高い。
特に、同じグループに属する全ての移動体通信端末が、上記配信対象の移動体通信端末がもつ機能と上記他の移動体通信端末がもつ機能を併せ持っていれば、同じグループに属する移動体通信端末間で互いの登録情報を共有して利用できる。
【００１１】
また、請求項５の発明は、請求項３又は４の情報配信装置において、上記受信手段は、上記登録情報及びこれに関連付けられた位置情報とともに、日にち、時刻又は日時を示す時情報を上記通信ネットワークを介して受信し、上記登録手段は、上記受信手段が登録情報及び位置情報とともに受信した時情報を、互いに関連付けた状態で上記登録情報データベースに登録し、上記配信手段は、上記配信対象の移動体通信端末から送信される取得要求に応じ、該登録情報データベースに登録された該取得要求に係る登録情報並びにこれに関連付けられた位置情報及び時情報を、該移動体通信端末へ配信することを特徴とするものである。
この情報配信装置においては、上記他の移動体通信端末から登録情報及び位置情報とともに時情報を受信すると、当該登録情報、位置情報及び時情報を互いに関連付けて登録情報データベースに登録する。そして、配信対象の移動体通信端末からの取得要求に応じ、当該登録情報並びにこれに関連付けられた位置情報及び時情報を、その配信対象の移動体通信端末へ配信する。これにより、配信対象の移動体通信端末は、他の移動体通信端末からの登録情報及び位置情報のほか、これらに関連付けられた時情報も取得できる。その結果、配信対象の移動体通信端末において登録情報及び位置情報に基づいて地図画面上から当該登録情報を確認する際に、時情報を利用した処理が可能となる。この処理としては、例えば、その登録情報が上記他の移動体通信端末から送信された日時等を当該登録情報とともに表示したり、その時情報から当該登録情報の新しさを判断して古すぎる登録情報は表示しないようにしたりする処理が考えられる。
なお、「時情報」は、登録情報に関わる日にち、時刻又は日時（以下、「日時等」という。）を示す情報又は位置情報に関わる日時等を示す情報である。よって、登録情報が上記他の移動体通信端末から送信された日時等を示す情報に限らず、登録情報が上記他の移動体通信端末に入力された日時等を示す情報や、位置情報が示す場所に上記他の移動体通信端末が居た日時等を示す情報などであってもよい。
【００１２】
また、請求項６の発明は、請求項３、４又は５の情報配信装置において、登録情報の種類又は内容に応じて互いに異なるマークを示す複数のマーク情報の中から、上記受信手段が受信した登録情報の種類又は内容に対応したマーク情報を選択するマーク情報選択手段を有し、上記登録手段は、該受信手段が受信した登録情報に関連付けた状態で該マーク情報選択手段が選択したマーク情報を上記登録情報データベースに登録し、上記配信手段は、上記配信対象の移動体通信端末から送信される取得要求に応じ、該登録情報データベースに登録された該取得要求に係る登録情報並びにこれに関連付けられた位置情報及びマーク情報を、該移動体通信端末へ配信することを特徴とするものである。
この情報配信装置においては、上記他の移動体通信端末からの登録情報の種類又は内容に応じて、これに対応するマーク情報を選択し、選択したマーク情報を当該登録情報に関連付けた状態で登録情報データベースに登録する。そして、配信対象の移動体通信端末からの取得要求に応じ、当該登録情報並びにこれに関連付けられた位置情報及びマーク情報を、その配信対象の移動体通信端末へ配信する。これにより、配信対象の移動体通信端末は、他の移動体通信端末からの登録情報及び位置情報のほか、その登録情報の種類又は内容に対応したマーク情報も取得できる。その結果、配信対象の移動体通信端末において登録情報及び位置情報に基づいて地図画面上から当該登録情報を確認する際に、このマーク情報を利用した処理が可能となる。この処理としては、例えば、配信対象の移動体通信端末において、当該位置情報により特定される地図画面上の位置にマークを表示する場合、このマークとして、当該位置情報に対応するマーク情報に基づくマークを用いる処理が挙げられる。この場合、配信対象の移動体通信端末の利用者は、地図画面上のマークを見るだけで、そのマークに対応した登録情報の種類又は内容を把握することが可能となる。
【００１３】
また、上記第２の目的を達成するために、請求項７の発明は、配信対象の移動体通信端末に対し、登録情報データベースに登録された登録情報を通信ネットワークを通じて配信する情報配信装置において、上記登録情報データベースを有するデータベース記憶手段と、上記配信対象の移動体通信端末とは異なる他の移動体通信端末から送信された登録情報及びこれに関連付けられた端末特定情報を上記通信ネットワークを介して受信する登録情報受信手段と、上記他の移動体通信端末から送信された現在位置情報及びこれに関連付けられた端末特定情報を上記通信ネットワークを介して受信する現在位置情報受信手段と、該登録情報受信手段が受信した登録情報及び端末特定情報を互いに関連付けた状態で上記データベース記憶手段内の上記登録情報データベースに登録するとともに、該現在位置情報受信手段が受信した現在位置情報及び端末特定情報を互いに関連付けた状態で上記データベース記憶手段内の上記登録情報データベースに登録する登録手段と、上記配信対象の移動体通信端末から送信される現在位置情報取得要求に応じ、該登録情報データベースに登録された該現在位置情報取得要求に係る端末特定情報に関連付けられた現在位置情報を、該移動体通信端末へ配信する現在位置情報配信手段と、上記配信対象の移動体通信端末から送信される登録情報取得要求に応じ、該登録情報データベースに登録された該登録情報取得要求に係る端末特定情報に関連付けられた登録情報を、該移動体通信端末へ配信する登録情報配信手段とを有することを特徴とするものである。
この情報配信装置においては、情報提供元である他の移動体通信端末から送信された現在位置情報及び当該他の移動体通信端末の端末特定情報を受信すると、その現在位置情報及び端末特定情報を互いに関連付けた状態で登録情報データベースに登録する。そして、配信対象の移動体通信端末からの現在位置情報取得要求に応じ、その要求に係る上記他の移動体通信端末の現在位置情報を、その配信対象の移動体通信端末へ配信する。これにより、配信対象の移動体通信端末は、上記他の移動体通信端末の現在位置情報を取得することができる。その結果、配信対象の移動体通信端末では、この現在位置情報に基づいて地図画面上から上記他の移動体通信端末の位置を確認することが可能になる。
更に、本情報配信装置においては、情報提供元である他の移動体通信端末から送信された登録情報及び当該他の移動体通信端末の端末特定情報を受信すると、その登録情報も、上記現在位置情報と同様に当該他の移動体通信端末の端末特定情報に関連付けた状態で、登録情報データベースに登録する。そして、情報配信装置は、配信対象の移動体通信端末からの登録情報取得要求に応じ、その要求に係る上記他の移動体通信端末から受信した登録情報を、その配信対象の移動体通信端末へ配信する。
以上より、配信対象の移動体通信端末は、他の移動体通信端末の現在位置情報及び当該他の移動体通信端末が送信した登録情報を取得することができる。その結果、配信対象の移動体通信端末では、これらの情報に基づいて、当該他の移動体通信端末の位置が表示された地図画面上から当該登録情報を確認することが可能になる。
特に、本情報配信装置を、請求項２の情報配信システムにおける情報配信装置として利用すれば、上述したように、自分の移動体通信端末（配信対象の移動体通信端末）の表示手段に表示された地図画面上で他の移動体通信端末の位置を確認できるとともに、その位置に表示されたマークを選択することで、当該他の移動体通信端末からの登録情報を表示して確認することができるようになる。
【００１４】
また、請求項８の発明は、請求項７の情報配信装置において、上記データベース記憶手段は、複数の移動体通信端末が属するグループごとの登録情報データベースを有しており、上記登録情報受信手段は、上記登録情報及びこれに関連付けられた端末特定情報とともに、送信元の移動体通信端末が属するグループを特定するためのグループ特定情報を上記通信ネットワークを介して受信し、上記現在位置情報受信手段は、上記現在位置情報及びこれに関連付けられた端末特定情報とともに、送信元の移動体通信端末が属するグループを特定するためのグループ特定情報を上記通信ネットワークを介して受信し、上記登録手段は、上記登録情報受信手段が登録情報及び端末特定情報とともに受信したグループ特定情報により特定されるグループに対応した登録情報データベースに、該登録情報及び該端末特定情報を互いに関連付けた状態で登録するとともに、上記現在位置情報受信手段が現在位置情報及び端末特定情報とともに受信したグループ特定情報により特定されるグループに対応した登録情報データベースに、該現在位置情報及び該端末特定情報を互いに関連付けた状態で登録し、上記現在位置情報配信手段は、上記配信対象の移動体通信端末から上記現在位置情報取得要求とともに送信されるグループ特定情報から該移動体通信端末が属するグループを特定し、特定したグループに対応した登録情報データベースに登録された該現在位置情報取得要求に係る端末特定情報に関連付けられた現在位置情報を、該移動体通信端末へ配信し、上記登録情報配信手段は、上記配信対象の移動体通信端末から上記登録情報取得要求とともに送信されるグループ特定情報から該移動体通信端末が属するグループを特定し、特定したグループに対応した登録情報データベースに登録された該登録情報取得要求に係る端末特定情報に関連付けられた登録情報を、該移動体通信端末へ配信することを特徴とするものである。
この情報配信装置においては、登録情報データベースを、複数の移動体通信端末が属するグループごとに記憶している。本情報配信装置は、上記他の移動体通信端末から登録情報及び端末特定情報を受信するときにグループ特定情報も受信し、また、上記他の移動体通信端末から現在位置情報及び端末特定情報を受信するときにもグループ特定情報を受信する。グループ特定情報とともに受信した各情報は、そのグループ特定情報により特定されるグループに対応した登録情報データベースに登録される。そして、配信対象の移動体通信端末から現在位置情報取得要求及び登録情報取得要求を受けたとき、これらの取得要求とともに当該配信対象の移動体通信端末から送信されてくるグループ特定情報により特定されるグループの登録情報データベースに登録された当該現在位置情報及び当該登録情報を、その配信対象の移動体通信端末へそれぞれ配信する。これにより、配信対象の移動体通信端末は、同じグループに属する他の移動体通信端末の現在位置情報及び当該他の移動体通信端末が送信した登録情報を取得することができ、当該他の移動体通信端末の位置が表示された地図画面上から当該登録情報を確認することが可能になる。しかも、情報提供元である他の移動体通信端末から見れば、自分の登録情報を確認できる移動体通信端末が同じグループに属する移動体通信端末に限られるため、自分の現在位置情報や登録情報の使用について安全性が高い。
特に、同じグループに属する全ての移動体通信端末が、上記配信対象の移動体通信端末がもつ機能と上記他の移動体通信端末がもつ機能を併せ持っていれば、同じグループに属する移動体通信端末間で、互いの位置を確認し合えるとともに、互いの登録情報を共有して利用できる。
【００１５】
また、請求項９の発明は、請求項７又は８の情報配信装置において、上記登録情報受信手段は、上記登録情報及びこれに関連付けられた端末特定情報とともに、日にち、時刻又は日時を示す時情報を上記通信ネットワークを介して受信し、上記登録手段は、上記登録情報受信手段が登録情報及び端末特定情報とともに受信した時情報を、互いに関連付けた状態で上記登録情報データベースに登録し、上記登録情報配信手段は、上記配信対象の移動体通信端末から送信される登録情報取得要求に応じ、該登録情報データベースに登録された該登録情報取得要求に係る端末特定情報に関連付けられた登録情報及び時情報を、該移動体通信端末へ配信することを特徴とするものである。
この情報配信装置においては、上記他の移動体通信端末から登録情報及び端末特定情報を受信するときに時情報も受信し、当該登録情報、端末特定情報及び時情報を互いに関連付けて登録情報データベースに登録する。そして、配信対象の移動体通信端末からの登録情報取得要求に応じ、当該登録情報及び時情報を、その配信対象の移動体通信端末へ配信する。これにより、配信対象の移動体通信端末は、他の移動体通信端末からの登録情報のほか、これに関連付けられた時情報も取得できる。その結果、配信対象の移動体通信端末において地図画面上から当該登録情報を確認する際に、時情報を利用した処理が可能となる。この処理としては、例えば、その登録情報が上記他の移動体通信端末から送信された日時等を当該登録情報とともに表示したり、その時情報から当該登録情報の新しさを判断して古すぎる登録情報は表示しないようにしたりする処理が考えられる。
【００１６】
また、請求項１０の発明は、請求項７、８又は９の情報配信装置において、登録情報の種類又は内容に応じて互いに異なるマークを示す複数のマーク情報の中から、上記登録情報受信手段が受信した登録情報の種類又は内容に対応したマーク情報を選択するマーク情報選択手段を有し、上記登録手段は、該登録情報受信手段が受信した登録情報に関連付けた状態で該マーク情報選択手段が選択したマーク情報を上記登録情報データベースに登録し、上記登録情報配信手段は、上記配信対象の移動体通信端末から送信される登録情報取得要求に応じ、該登録情報データベースに登録された該登録情報取得要求に係る端末特定情報に関連付けられた登録情報及びこれに関連付けられたマーク情報を、該移動体通信端末へ配信することを特徴とするものである。
この情報配信装置においては、上記他の移動体通信端末からの登録情報の種類又は内容に応じて、これに対応するマーク情報を選択し、選択したマーク情報を当該登録情報に関連付けた状態で登録情報データベースに登録する。そして、配信対象の移動体通信端末からの登録情報取得要求に応じ、当該登録情報及びこれに関連付けられたマーク情報を、その配信対象の移動体通信端末へ配信する。これにより、配信対象の移動体通信端末は、他の移動体通信端末からの登録情報のほか、その登録情報の種類又は内容に対応したマーク情報も取得できる。その結果、配信対象の移動体通信端末において地図画面上から当該登録情報を確認する際に、このマーク情報を利用した処理が可能となる。この処理としては、例えば、配信対象の移動体通信端末において、例えば、地図画面上に設けられているマークが選択されると当該登録情報が表示される場合、そのマークとして、当該マーク情報に基づくマークを用いる処理が挙げられる。この場合、配信対象の移動体通信端末の利用者は、地図画面上のマークを見るだけで、そのマークに対応した登録情報の種類又は内容を把握することが可能となる。
【００１７】
請求項１１の発明は、請求項３、４、５、６、７、８、９又は１０の情報配信装置において、上記登録情報は、上記他の移動体通信端末に入力された文字情報を含むことを特徴とするものである。
この情報配信装置においては、配信対象の移動体通信端末の表示手段に表示された地図画面上から、他の移動体通信端末に入力された文字情報を確認することが可能となる。
【００１８】
また、請求項１２の発明は、請求項３、４、５、６、７、８、９、１０又は１１の情報配信装置において、上記登録情報は、上記他の移動体通信端末に設けられた撮像手段により撮像して得た画像情報を含むことを特徴とするものである。
この情報配信装置においては、配信対象の移動体通信端末の表示手段に表示された地図画面上から、他の移動体通信端末に設けられた撮像手段で撮像された画像情報を確認することが可能となる。
【００１９】
また、請求項１３の発明は、請求項３、４、５、６、７、８、９、１０、１１又は１２の情報配信装置において、上記登録情報は、上記他の移動体通信端末の連絡先情報を含むことを特徴とするものである。
この情報配信装置においては、配信対象の移動体通信端末の利用者が、登録情報を送信した当該他の移動体通信端末に容易に連絡をとることができるようになる。
なお、「連絡先情報」は、配信対象の移動体通信端末の利用者が当該他の移動体通信端末に連絡をとるために必要な情報であり、具体的には電話番号情報や電子メールアドレスなどが挙げられる。
【発明の効果】
【００２０】
請求項１及び３に記載の発明並びにこれらの請求項に従属する請求項に記載の発明によれば、自分の移動体通信端末（第２の移動体通信端末、配信対象の移動体通信端末）の表示手段に表示される地図画面上の特定の場所に関して第１の移動体通信端末又は他の移動体通信端末の利用者である他人が入力した情報（登録情報）を、その地図画面から確認することが可能になるという優れた効果が奏される。
請求項２及び７に記載の発明並びにこれらの請求項に従属する請求項に記載の発明によれば、自分の移動体通信端末（第２の移動体通信端末、配信対象の移動体通信端末）の表示手段に表示される地図画面上に現在位置が表示される第１の移動体通信端末又は他の移動体通信端末の利用者である他人が入力した情報（登録情報）を、その地図画面から確認することが可能になるという優れた効果が奏される。
特に、請求項４及び８の発明によれば、情報提供元である他の移動体通信端末の利用者から見たとき、自分が提供した登録情報の使用について安全性を高めることができるという優れた効果が奏される。
また、請求項５及び９の発明によれば、他の移動体通信端末から送信された登録情報を配信対象の移動体通信端末で地図画面上から確認する際に、その登録情報に関わる日にち、時刻又は日時を利用した処理が可能となるという優れた効果が奏される。
また、請求項６及び１０の発明によれば、他の移動体通信端末から送信された登録情報を配信対象の移動体通信端末で地図画面上から確認する際に、その登録情報の種類又は内容に対応したマーク情報を利用した処理が可能となるという優れた効果が奏される。
また、請求項１１の発明によれば、他の移動体通信端末の利用者がもつ情報を、配信対象の移動体通信端末の利用者が文字で確認することが可能になるという優れた効果が奏される。
また、請求項１２の発明によれば、他の移動体通信端末の利用者が撮影した撮影対象の外観を、配信対象の移動体通信端末の利用者が画像で確認することが可能になるという優れた効果が奏される。
また、請求項１３の発明によれば、配信対象の移動体通信端末の利用者が、登録情報を送信した他の移動体通信端末に容易に連絡をとることができるようになるという優れた効果が奏される。その結果、例えば、当該登録情報についてのより詳しい情報を、当該他の移動体通信端末の利用者から電話により容易に入手できたり、電子メール等により容易に入手できたりする。
【発明を実施するための最良の形態】
【００２１】
〔実施形態１〕
以下、本発明を、情報提供元である第１の移動体通信端末としての第１携帯電話機と、情報の配信対象である第２の移動体通信端末としての第２携帯電話機と、この第２携帯電話機に対して登録情報データベースに登録された登録情報を配信する情報配信装置とを含む情報配信システムに適用した一実施形態（以下、本実施形態を「実施形態１」という。）について説明する。
図１は、本実施形態１に係る情報配信システム全体の概略構成図である。
この情報配信システムは、第１携帯電話機１０と、第２携帯電話機１１と、通信ネットワークとしての携帯電話通信網２０に接続された情報配信装置としての情報提供サーバ３０とを備えている。携帯電話通信網２０は、第１携帯電話機１０及び第２携帯電話機１１との間で直接無線通信する基地局２１のほか、図示しない交換機、専用線、ルータ、ファイヤーウォール等で構成されている。また、この携帯電話通信網２０には、情報提供サーバ３０のほか、位置登録サーバ４０も接続されている。各サーバ３０，４０は、単体のコンピュータ装置で構成してもよいし、複数の機能をそれぞれ受け持つ複数台のコンピュータをネットワークで結んで構成してもよい。
【００２２】
各携帯電話機１０，１１は、ＧＰＳ（Global Positioning System）位置情報、エリア位置情報及び施設位置情報からなる３種類の位置情報を取得することができる。上記ＧＰＳ位置情報は、各携帯電話機１０，１１が位置する現在位置を示すＧＰＳ位置情報（緯度、経度、高度）であり、各携帯電話機１０，１１がＧＰＳ用の人工衛星（以下、「ＧＰＳ衛星」という。）６０から受信したＧＰＳ信号に基づいて算出される。上記エリア位置情報は、各携帯電話機１０，１１が在圏する通信管理エリアに関するエリア位置情報であり、位置登録サーバ４０から受信して取得される。このエリア位置情報としては、基地局２１が管轄するセルを識別するためのセルＩＤ、基地局２１の所在地、基地局２１の識別情報等が挙げられる。上記施設位置情報は、利用者の通過又は滞在が可能な駅の改札等の各種施設の位置を特定可能な施設位置情報である。この施設位置情報は、利用者が施設を通過したり施設に滞在したりしたときに、その施設に設置された利用検知用の通信端末装置と各携帯電話機１０，１１との間で通信を行うことによって取得することができる。図１中の例では、通信端末装置が駅の改札ゲート装置７０の場合を示している。利用者が改札ゲート装置７０に近づくこと又は利用者が携帯電話機１０，１１を改札ゲート装置７０の通信アンテナ部７１にかざすこと等により、利用者の携帯電話機１０，１１が、この改札ゲート装置７０の通信アンテナ部７１と通信可能な範囲内に位置すると、改札ゲート装置７０と各携帯電話機１０，１１との間の双方向の通信により鉄道利用のための認証が実行され、利用者は改札を通過することができる。この通信により、各携帯電話機１０，１１は、どの駅の改札から入ったかあるいはどの駅の改札から出たかを示す施設位置情報を取得することができる。
【００２３】
上記情報提供サーバ３０は、第１携帯電話機１０から送信された登録情報、位置情報及び時情報としての日付時刻情報を互いに関連付けた登録情報データベースを備えている。情報提供サーバ３０は、第２携帯電話機１１からの取得要求に応じ、各管理エリアの基地局２１を介して、登録情報データベースに登録された登録情報等の各種配信情報を配信する。本情報提供サーバ３０の具体的な構成及び動作については後述する。
【００２４】
上記位置登録サーバ４０は、各携帯電話機１０，１１が位置している管理エリアの位置情報を登録して管理するサーバである。この管理エリアは、各携帯電話機１０，１１との間で無線通信する基地局２１が管轄する一つのセルからなるエリアであっていいし、隣接する複数のセルを一つのグループとして管理されるエリアであってもよい。一つの管理エリアの典型的なサイズは数ｋｍ〜数百ｍである。上記位置登録サーバ４０に対する各携帯電話機１０，１１の位置登録は、電源ＯＮ時に、定期的に、及び携帯電話機１０が位置するセルが変わるたびに行われる。
【００２５】
図２は、上記情報提供サーバ３０を構成する各手段の関係を示す機能ブロック図である。
この情報提供サーバ３０は、システムバス、ＣＰＵ、ＲＡＭやＲＯＭ等からなる内部メモリ、ハードディスクドライブ（ＨＤＤ）や光ディスクドライブ等からなる外部記憶装置、各携帯電話機１０，１１と通信するための携帯電話通信網用の通信装置等を備えている。この情報提供サーバ３０は、ＣＰＵ等からなるハードウェア上で所定のプログラムを実行することにより、データベース記憶手段３０１、受信手段３０２、登録手段３０３、配信手段３０４等の各機能を実現している。
【００２６】
上記データベース記憶手段３０１は、ＣＰＵ、内部メモリ、外部記憶装置等で構成され、第１携帯電話機１０から送信された登録情報並びにこれに関する位置情報及び日付時刻情報を互いに関連付けた状態で記憶して管理するための登録情報データベースを記憶している。これらの情報は、その情報提供元である第１携帯電話機１０を特定するための端末特定情報であるＵＩＤ：User IDに関連付けて記憶されている。また、データベース記憶手段３０１は、携帯電話機１０，１１へ配信可能な地図データを記憶した地図データベースも記憶している。
【００２７】
上記受信手段３０２は、携帯電話通信網用の通信装置及びＣＰＵ等で構成され、第１携帯電話機１０から送信された登録情報、位置情報及び日付時刻情報を、携帯電話通信網２０を介して受信する。本実施形態１における登録情報は、第１携帯電話機１０に入力された情報であって、その利用者が上記登録情報データベースに登録することを希望する情報である。本実施形態１における位置情報は、当該登録情報に関わる場所を示す情報であり、詳しくは、後述する各動作例において説明する。
また、上記受信手段３０２は、登録情報並びにこれに関する位置情報及び日付時刻情報の取得を希望する旨の取得要求を第２携帯電話機１１から受信する。
【００２８】
上記登録手段３０３は、ＣＰＵ等で構成され、上記受信手段３０２が第１携帯電話機１０から受信した登録情報、位置情報及び日付時刻情報を、互いに関連付けて上記データベース記憶手段３０１の登録情報データベースに登録する。
【００２９】
上記配信手段３０４は、携帯電話通信網用の通信装置及びＣＰＵ等で構成され、上記受信手段３０１が受信した携帯電話機１０，１１からの地図データ取得要求に応じ、上記データベース記憶手段３０１の地図データベース内の当該地図データ取得要求に係る地図データを、携帯電話通信網２０を介して、携帯電話機１０，１１に配信する。
また、上記配信手段３０４は、上記受信手段３０１が受信した第２携帯電話機１１からの取得要求（以下、上記地図データ取得要求と区別するために「登録情報取得要求」という。）に応じ、上記データベース記憶手段３０１の登録情報データベース内の当該登録情報取得要求に係る登録情報並びにこれに関連付けられた位置情報及び日付時刻情報を、携帯電話通信網２０を介して、第２携帯電話機１０に配信する。
【００３０】
図３は、本実施形態１で用いる携帯電話機１０，１１のハードウェア構成の一例を示すブロック図である。
携帯電話機１０，１１は、制御部１１１、内部メモリ１１２、通信手段としての無線通信部１１３及びアンテナ１１４を備えている。また、制御部１１１には、音声処理部１１５を介して音入力手段としてのマイク１１６及び音出力手段としてのスピーカ１１７が接続され、画像処理部１１８を介して表示部１１９が接続され、更にキー操作部１２０が接続されている。また、携帯電話機１０，１１は、計時手段としての時計部１２５と、ＧＰＳ位置情報取得手段としてのＧＰＳ受信部１３０及びそのアンテナ１３１と、施設位置情報取得手段としての近距離用無線通信部１４０及びそのアンテナ１４１とを備えている。
【００３１】
上記制御部１１１は、例えばＣＰＵ、キャッシュメモリ、システムバス等で構成され、所定の制御プログラムを実行することにより内部メモリ１１２や無線通信部１１３等の各部との間でデータの送受信を行ったり各部を制御したりする。
上記内部メモリ１１２は、例えばＲＡＭやＲＯＭなどの半導体メモリで構成され、制御部１１１で実行する制御プログラムや各種データを記憶するものである。
上記無線通信部１１４は、制御部１１１で制御され、アンテナ１１４を介して、所定の通信方式により携帯電話通信網２０の基地局２１との間で無線通信を行うものである。この無線通信により、特定の携帯電話機等との間で音声電話通信を行ったり、電子メールの送受信や上記情報提供サーバ３０から送信された情報の受信のためのデータ通信を行ったりすることができる。
上記音声処理部１１５は、マイク１１６から入力された送話音声信号を所定方式で符号化して制御部１１１に送る。また、この音声処理部１１５は、無線通信部１１３で受信した受話音声信号を復号化してスピーカ１１７から出力する。
上記画像処理部１１８は、上記制御部１１１の制御の下、カメラ部１２１が撮像した画像データや、内部メモリ１１２に記憶されているアイコンやメニュー等の画像データを処理し、液晶ディスプレイ（ＬＣＤ）等からなる表示部１１９に表示させる。
上記キー操作部１２０は、データ入力キー（テンキー、＊キー、＃キー）、通話開始キー、終話キー、スクロールキー、多機能キー等を備え、電話の発信や着信のほか、表示部１１９に表示される情報のスクロールや選択等に用いる。
上記カメラ部１２１は、そのレンズ面が携帯電話機１０，１１の外部に露出した内蔵カメラで構成されている。本実施形態１では、結像体としてＣＣＤを用いたＣＣＤカメラを用いるが、ＣＭＯＳ（Complementary Metal Oxide Semiconductor）カメラなどの他のデジタル方式の小型カメラを用いることもできる。
上記時計部１２５は、クロック回路等で構成され、正確な日時を計数し、日付や時刻のデータを出力する。この時計部１２５の出力は、上記日付時刻情報として用いられる。
【００３２】
上記ＧＰＳ受信部１３０は、地球の周りに配置されている複数のＧＰＳ衛星６０から電波を受信し、その受信結果に基づいて携帯電話機１０が位置する緯度、経度及び高度のデータを算出する。ＧＰＳ受信部１３０は、例えば、電波の受信信号から目的の周波数成分を抽出するフィルター部、所定の周波数成分の受信信号からＧＰＳ信号を抽出する復調回路部、信号解読に用いるプログラムやコードデータを記憶した記憶部、各部を制御するとともにＧＰＳ信号を解読して位置情報や精度情報を求める制御・演算処理部等により構成される。
【００３３】
上記ＧＰＳ衛星６０は、地球上の約２万ｋｍの高度に位置する昇交点経度が６０度おきとなる６種類の軌道面ごとに、４個以上（合計で２４個以上）配置され、１２時間の周期で地球の周りをまわっている。この周回運動により、毎日同じ時刻に同じＧＰＳ衛星６０がやってくるようになり、地球上のどの地点からも常に最低４個以上（通常５乃至６個）のＧＰＳ衛星６０が見えるようになっており、ＧＰＳ衛星６０の位置情報は地上に５カ所ある監視局で厳密に管理されている。ＧＰＳ衛星６０にはセシウム（Ｃｓ）やルビジウム（Ｒｂ）等の原子時計（発振器）が搭載されており、正確な時刻が刻まれている。発振器の周波数は１０．２３ＭＨｚであり、クロックはそれを１／１０に分周して得ており、各ＧＰＳ衛星の時刻も正確に同期されている。
ＧＰＳ衛星６０からは１５７５．４２ＭＨｚ（Ｌ１）、１２２７．６０ＭＨｚ（Ｌ２）の２つの周波数の電波が約１ｍｓの間隔で繰り返し送信されている。この電波は、所定コードの疑似ランダム符号（Pseudo Random Noise Code）と呼ばれる乱数符号で変調されている。携帯電話機１０で受信したときは、乱数表に相当するコードを参照し、信号内容を解読する。そして、そのコードと携帯電話機１０の時計部から出力される時刻データとに基づいて、ＧＰＳ衛星６０から電波発射された時刻と携帯電話機１０で受信した時刻との信号の時間差を計測する。そして、この時間差に電波の伝播速度を掛ければ、ＧＰＳ衛星６０から携帯電話機１０までの距離（＝伝播速度×時間差）がわかる。また、ＧＰＳ衛星６０からは、軌道の正確な情報が送られてくるので、ＧＰＳ衛星６０の現在位置を正確に知ることができる。従って、ＧＰＳ衛星６０からの距離が分かれば、携帯電話機１０はＧＰＳ衛星６０を中心として求めた距離を半径とする球面上のどこかにいることが分かる。二つのＧＰＳ衛星６０からの電波を受信できれば、二つの球面が求まり、携帯電話機１０の位置は二つの球が交わる円周上のどこかになる。三つのＧＰＳ衛星６０からの電波を受信できる場合は、三つの球面が交わる２点のうちの何れか一方の位置が携帯電話機１０の位置である。２点のうち一方は、予測できる位置からかけ離れているので捨て去ることができるので、原理的には一点が決定される。
【００３４】
ところが、実際には計算された答え（三つの面の交点）は、測定誤差によって２点にならない。この測定誤差の多くは、携帯電話機１０に搭載された時計の精度にある。ＧＰＳ衛星６０の時計は原子時計であるが、携帯電話機１０に搭載された時計の精度は原子時計に比べてはるかに劣る。このため、時間差の計算値に大きな誤差を生じてしまう。そこで、ＧＰＳではＧＰＳ衛星をもう一つ、つまり４つ目のＧＰＳ衛星からの電波を受信する。これは次のように考えることができる。すなわち、３つのＧＰＳ衛星の情報（方程式）からＸＹＺの三つの未知数を求めようとしたときに受信側の携帯電話機１０内の時計の誤差分という別の未知数があるために計算ができなかったのを、新たな情報（方程式）を導入することで解決する、という考え方である。４つのＧＰＳ衛星からの電波を受信することにより、ＧＰＳでは一点に収束するほぼ正確な位置を求めることができる。また、残された誤差は、ＧＰＳ衛星からの情報内容に含まれるものと、電波がＧＰＳ衛星から携帯電話機１０に到達するまでの大気の擾乱などによる誤差である。前者のＧＰＳ衛星からの情報については、当初、Ｓ／Ａ（Selective Availability）という民間利用向けには敢えて誤差を付加する操作が行われていたが、２０００年５月に解除され、現在では誰もが誤差の少ない情報を入手できる。また、ＧＰＳ衛星からは、後者の電離層による遅延量の補正のためのデータも送られてくるほか、受信側の携帯電話機１０で二つの周波数の電波を受信することで補正することができる。電離層による電波伝搬遅延量は周波数に反比例することがわかっているためである。
上記ＧＰＳ受信部１３０は、このように補正された携帯電話機の位置情報（緯度、経度、高度）のデータを算出して出力する。
【００３５】
上記ＧＰＳ位置情報の精度情報であるＧＰＳ測位精度は、「ＤＯＰ（Dilution of Precision）」や「２ｄｒｍｓ（2×distance root mean square）」等で表現することができる。
上記ＤＯＰは「精度低下率」とも呼ばれ、ＧＰＳ測位精度の劣化の指標となる数値である。このＤＯＰの値が小さいほど精度が高いことを意味する。上述のように、ＧＰＳ測位は通常４個以上のＧＰＳ衛星を使って行われるが、そのときのＧＰＳ衛星の配置状態によって測位精度が大きく左右される。このＧＰＳ衛星の配置状態によってＤＯＰの値が決定される。例えば、ＧＰＳ衛星が均等にばらけて位置していれば、上記ＤＯＰの値は小さくなってＧＰＳ測位精度は高くなり、逆にＧＰＳ衛星が一箇所に偏って位置していれば、上記ＤＯＰの値が大きくなってＧＰＳ測位精度は低くなる。
上記ＤＯＰの値は、次式で算出することができる。ここで、式中のｌ、ｍ、ｎはそれぞれ、地球上の計測点からＧＰＳ衛星に向かう単位長ベクトルの各座標軸ｘ、ｙ、ｚ方向への方向余弦である。ｋは可視ＧＰＳ衛星の数である。２σは各添え字方向への誤差の拡大係数である。
【数１】
2006332830.tif 000003
【００３６】
上記２ｄｒｍｓの場合は、その値が小さいほど高精度を意味する。ＧＰＳ受信機を一つの決まった場所に設置して連続して測位するとき、ランダムな測距誤差が入ることで、測位点は１つに定まらない。このランダム誤差にＨＤＯＰの２倍を掛け合わせたものが２ｄｒｍｓである。ここで、真の測位点を中心とした半径２ｄｒｍｓの円内に、散らばった全ての測位点の約９５％が入るといわれている。
【００３７】
なお、本実施形態１では、上記ＤＯＰの値を精度情報として用い、ＤＯＰの値が３以下の場合における位置精度の表記を「Ａ」（良好）とし、ＤＯＰの値が３よりも大きい場合における位置精度の表記を［Ｂ」（普通）としている。
【００３８】
なお、これまでに述べたＧＰＳの位置測定法は、一台のＧＰＳ受信機（携帯電話機）だけで独立して位置を求める「単独測位」と呼ばれるものである。測定精度をさらに高めるために、測定点とは別の位置にある外部受信装置で補正値を計算してそのデータを基に実際の測定値を補正するようにしてもよい。この補正法は、単独測位に対して「相対測位（Ｄ−ＧＰＳ）」などと呼ばれている。具体的な補正の方法としては、ＧＰＳ衛星からの搬送波の位相を求めるなど様々な方法がある。「単独測位」の精度は１０ｍ内外であるが、「相対測位（Ｄ−ＧＰＳ）」による補正をすれば、最高では１ｃｍ程度の精度まで高めることができる。この場合、上記外部受信装置として、ＧＰＳアンテナを搭載した携帯電話通信網内の機器（例えば基地局）を用いるようにしてもよい。
【００３９】
上記近距離用無線通信部１４０は、携帯電話機１０に着脱可能に設けたり内部に組み込んだりすることができるＩＣカードやＩＣチップ等を用いて構成され、各種施設に設置された改札ゲート装置７０等の通信端末装置との間で所定の通信方式で通信する。通信方式としては各種の方式を採用することできる。例えば、ブルートゥース等の電波を用いた近距離無線通信方式や、赤外線を用いた通信方式等を採用することができる。また、近距離用無線通信部１４０が通信する通信対象の通信端末装置としては、図１に示した改札ゲート装置７０のほか、バスなどの中にある運賃収受機や乗車口カード読み取り装置、駅やイベント会場等の発券装置、金融機関等の自動現金支払装置、店舗などのレジ装置、高速道路のＥＴＣの基地局などが挙げられる。
【００４０】
図４は、本実施形態１の第１携帯電話機１０を構成する各手段の関係を示す機能ブロック図である。
第１携帯電話機１０は、図３に示すハードウェア上で所定のプログラムを実行することにより、情報記憶手段１０１、登録情報入力手段１０２、日付時刻情報取得手段１０３、位置情報取得手段１０４、情報保存手段１０５、送信手段１０６等の各機能を実現している。
【００４１】
上記情報記憶手段１０１は、内部メモリ１１２等で構成され、上述したようなＧＰＳ位置情報、エリア位置情報及び施設位置情報、上記情報提供サーバ３０の登録情報データベースに登録され得る登録情報などの各種情報を記憶する。
上記登録情報入力手段１０２は、後述する動作例１においては制御部１１１、画像処理部１１８、表示部１１９、キー操作部１２０等で構成され、後述する動作例２においてはカメラ部１２１等で構成される。登録情報入力手段１０７が入力した情報は、上記情報提供サーバ３０の登録情報データベースに登録すべき登録情報として用いることができる。
上記日付時刻情報取得手段１０３は、制御部１１１、時計部１２５等で構成され、時計部１２５の出力を、現在の日付及び時刻を示す日付時刻情報として取得する。
上記位置情報取得手段１０４は、後述する動作例１においては、制御部１１１、無線通信部１１３、アンテナ１１４、画像処理部１１８、表示部１１９、キー操作部１２０等で構成され、後述する動作例２においては、制御部１１１、時計部１２５、ＧＰＳ受信部１３０、アンテナ１３１、無線通信部１１３、アンテナ１１４、近距離用無線通信部１４０、アンテナ１４１等で構成される。各動作例における位置情報の取得方法については、後述する。
上記情報保存手段１０５は、制御部１１１等で構成され、登録情報入力手段１０７が入力した登録情報を、位置情報と日付時刻情報とに関連付けて、情報記憶手段１０１に保存する。登録情報と位置情報及び日付時刻情報との関係については、後述する各動作例において説明する。
上記送信手段１０６は、制御部１１１、無線通信部１１３、アンテナ１１４等で構成され、情報記憶手段１０１に保存した登録情報を、これに関連付けて保存された位置情報及び日付時刻情報に関連付けた状態で、携帯電話通信網２０を介して情報提供サーバ３０に送信する。
【００４２】
図５は、本実施形態１の第２携帯電話機１１を構成する各手段の関係を示す機能ブロック図である。
第２携帯電話機１１は、図３に示すハードウェア上で所定のプログラムを実行することにより、地図データ記憶手段２０１、操作手段２０２、表示手段２０３、表示制御手段２０４、送信手段２０５、受信手段２０６の各機能を実現している。
【００４３】
上記地図データ記憶手段２０１は、内部メモリ１１２等で構成され、表示手段２０３に表示される地図画面の地図データを記憶する。地図データ記憶手段２０１に記憶される地図データは、本実施形態１では情報提供サーバ３０からダウンロードすることにより入手されるものであるが、その入手方法はこれに限られるものではない。例えば、第２携帯電話機１１が外部メモリを着脱自在な構成である場合、地図データが記憶された外部メモリを装着することにより入手するようにしてもよい。この場合、当該外部メモリを地図データ記憶手段としてそのまま機能させてもよいし、当該外部メモリから地図データ記憶手段２０１としての内部メモリ１１２に転送するようにしてもよい。
上記操作手段２０２は、キー操作部１２０等で構成され、利用者により操作されることで、その操作内容を表示制御手段２０４に送る。
上記表示手段２０３は、表示部１１９等で構成される。
上記表示制御手段２０４は、制御部１１１、画像処理部１１８等で構成され、上記情報提供サーバ３０からダウンロードした地図データに基づく地図画面や登録情報を、上記表示手段２０３に表示させる制御を行う。
上記送信手段２０５は、制御部１１１、無線通信部１１３、アンテナ１１４等で構成され、操作手段２０２の操作内容に従い、地図データ取得要求や登録情報取得要求を、携帯電話通信網２０を介して情報提供サーバ３０に送信する。
上記受信手段２０６は、制御部１１１、無線通信部１１３、アンテナ１１４等で構成され、上記情報提供サーバ３０から送信される地図データや登録情報等を、携帯電話通信網２０を介して受信する。
【００４４】
〔動作例１〕
次に、本実施形態１における情報配信システムにおける処理動作の一例（以下、本例を「動作例１」という。）について説明する。
本動作例１においては、第１携帯電話機１０の利用者が、第１携帯電話機１０の登録情報入力手段を構成するキー操作部１２０を用いて、特定の場所に関する情報（登録情報）を文字で入力し、その登録情報を第２携帯電話機１１の利用者が地図画面から確認できるサービスを提供するものである。なお、このサービスを利用する第１携帯電話機１０の利用者からは、自分が登録した登録情報を他人に配信する旨の承諾を予め受けておく。
以下、特定の飲食店についての情報（おすすめのメニュー情報など）を第１携帯電話機１０の利用者が登録情報として情報提供サーバ３０の登録情報データベースに登録する場合を例に挙げて説明する。
【００４５】
図６は、本情報配信システムにおける処理動作の流れを示すシーケンスフロー図である。
本動作例１において、第１携帯電話機１０の利用者が登録情報を情報提供サーバ３０の登録情報データベースに登録する場合には、まず、その利用者は、キー操作部１２０に対して特定の操作を行うことで、当該登録情報地図画面を表示部１１９に表示させる。具体的には、キー操作部１２０に対して特定の操作が行われると、第１携帯電話機１０の位置情報取得手段１０４は、上記情報提供サーバ３０へ地図データ取得要求を送信する。この地図データ取得要求には、上記利用者が登録しようとしている登録情報に関わる場所（上記特定の飲食店の場所又はその周辺）を示す位置情報も含まれる。この位置情報は、例えば、利用者がキー操作部１２０を操作して入力したり、上記特定の飲食店のホームページなどから入手したりする。この地図データ取得要求を受信した情報提供サーバ３０は、データベース記憶手段３０１の地図データベースから当該地図データ取得要求に含まれる位置情報が示す場所を含んだ地図データを読み出す。そして、情報提供サーバ３０は、読み出した地図データを、当該地図データ取得要求の送信元である第１携帯電話機１０へ送信する。
【００４６】
第１携帯電話機１０の位置情報取得手段１０４は、上記地図データを受信すると、この地図データを内部メモリ１１２に記憶する。そして、位置情報取得手段１０４は、その地図データに基づく地図画面を表示部１１９に表示させる。この地図画面には、利用者がキー操作部１２０により操作することが可能な選択用アイコンも表示されている。よって、表示部１１９の液晶ディスプレイには、図７（ａ）に示すように、上記特定の飲食店の場所を含む地図及び選択用アイコンが表示される。なお、図７（ａ）に示す地図画面において、「Ｒ」は飲食店を示し、「Ｇ」はガソリンスタンドを示し、「〒」は郵便局を示している。利用者は、その地図画面を見ながらキー操作部１２０を操作して、地図画面上の選択用アイコンを当該地図画面上における上記特定の飲食店の場所に移動させ、多機能キーを押す。すると、位置情報取得手段１０４は、その選択用アイコンにより選択された地図画面上の位置を示す位置情報を取得する。また、多機能キーが押されると、第１携帯電話機１０の登録情報入力手段１０２は、図７（ｂ）に示すように、表示部１１９にコメント入力欄（登録情報入力画面）を表示させる。利用者は、登録情報入力手段を構成するキー操作部１２０を操作して、このコメント入力欄に文字を入力することができる。なお、図７（ｂ）では、利用者がキー操作部１２０を操作して「オムライスが絶品！ぜったいおすすめ。」という文字を入力した例を示す。
【００４７】
このようにして利用者が文字情報を入力し、その後キー操作部１２０の多機能キーを押すと、第１携帯電話機１０の情報保存手段１０５は、その文字情報（登録情報）を、上記位置情報取得手段１０４が取得した位置情報すなわち上記特定の飲食店の場所を示す位置情報と関連付けた状態で、情報記憶手段１０１に記憶する。このとき、情報保存手段１０５は、日付時刻情報取得手段１０３から現在の日付時刻情報を取得し、その日付時刻情報も上記登録情報に関連付けた状態で情報記憶手段１０１に記憶する。その後、送信手段１０６は、情報記憶手段１０１に保存された登録情報、位置情報及び日付時刻情報を、携帯電話通信網２０を介して上記情報提供サーバ３０へ送信する。
【００４８】
これらの情報は、情報提供サーバ３０の受信手段３０２により受信される。このとき、情報提供サーバ３０は、これらの情報を受信した旨のレスポンスを上記第１携帯電話機１０に返信する。そして、情報提供サーバ３０の登録手段３０３は、これらの情報を互いに関連付けた状態でデータベース記憶手段３０１の登録情報データベースに登録する。また、情報提供サーバ３０の制御部１１１は、受信した位置情報を含む地図データをデータベース記憶手段３０１の地図データベースから読み出し、この地図データに基づく地図画面上の当該位置情報が示す場所にコメントマーク（本実施形態１では「！」とする。図８参照。）を表示させるデータ処理を行うとともに、このコメントマークに当該位置情報に関連付けられた登録情報データベース内の登録情報及び日付時刻情報にリンクを張る処理を行う。これらの処理により、地図データベース内の当該地図データが更新される。
【００４９】
一方、第２携帯電話機１１の利用者は、例えば旅行先等でおいしそうなメニューを提供する飲食店を探す場合、まず、キー操作部１２０に対して特定の操作を行い、その旅行先の地図画面を表示部１１９に表示させる。具体的には、キー操作部１２０に対して特定の操作が行われると、第２携帯電話機１１の送信手段２０５は、上記情報提供サーバ３０へ地図データ取得要求を送信する。この地図データ取得要求には、上記利用者の旅行先の場所を示す位置情報も含まれる。この位置情報は、上記第１携帯電話機１０の場合と同様の方法で入手する。この地図データ取得要求を受信した情報提供サーバ３０は、データベース記憶手段３０１の地図データベースから当該地図データ取得要求に含まれる位置情報が示す場所を含んだ地図データを読み出す。そして、情報提供サーバ３０は、読み出した地図データを、当該地図データ取得要求の送信元である第２携帯電話機１１へ送信する。
【００５０】
この地図データを第２携帯電話機１１の受信手段２０６が受信すると、この地図データは地図データ記憶手段２０１に記憶される。そして、表示制御手段２０４は、その地図データに基づく地図画面を表示手段２０３に表示させる。この地図画面には、利用者が操作手段２０５により操作することが可能な選択用アイコンも表示されている。よって、液晶ディスプレイには、図８（ａ）に示すように、上記旅行先の地図及び選択用アイコンが表示される。この地図画面において、「！」で示すコメントマークは、これが付された飲食店Ｒについて他人が登録した登録情報がリンクされている旨を示す。したがって、利用者は、当該登録情報を見る場合、その地図画面を見ながら操作手段２０２を操作して、地図画面上の選択用アイコンをコメントマークに移動させ、これを選択する。すると、その操作内容が送信手段２０５に送られ、送信手段２０５は、携帯電話通信網２０を介して上記情報提供サーバ３０へ登録情報取得要求を送信する。この登録情報取得要求には、当該コメントマークに埋め込まれたリンク情報、本動作例１においては当該コメントマークに対応する飲食店（上記特定の飲食店）の場所を示す位置情報が含まれている。
【００５１】
この登録情報取得要求を受信した情報提供サーバ３０は、データベース記憶手段３０１の登録情報データベースから当該登録情報取得要求に含まれる位置情報に関連付けられた日付時刻情報と、上記第１携帯電話機１０に入力された図７（ｂ）に示した文字情報である登録情報とを読み出す。そして、情報提供サーバ３０の配信手段３０４は、読み出した登録情報及び日付時刻情報を、当該登録情報取得要求の送信元である第２携帯電話機１１へ配信する。
【００５２】
これらの情報を第２携帯電話機１１の受信手段２０６が受信すると、第２携帯電話機１１の表示制御手段２０４は、その登録情報及び日付時刻情報の内容を表示手段２０３に表示させる。これにより、液晶ディスプレイには、図８（ｂ）に示すように、上記登録情報の内容すなわち上記第１携帯電話機１０に入力された図７（ｂ）に示した文字情報の内容と、その文字情報が入力された日付及び日時を示す日付時刻情報の内容とが、コメント表示欄内に表示される。
【００５３】
以上、本動作例１においては、第２携帯電話機１１の利用者は、例えば旅行先等でおいしそうなメニューを提供する飲食店を探す場合、表示手段２０３に表示された当該旅行先等の地図画面上のコメントマークを操作手段２０２により選択することにより、第１携帯電話機１０の利用者（他人）が登録した当該特定の飲食店についての登録情報（文字情報）を表示して、おすすめメニュー等の情報を確認することができる。本動作例１によれば、第２携帯電話機１１の利用者は、当該特定の飲食店自身が提供する情報よりも客観的で有用な他の利用者による情報を得ることができ、自分の探している条件に適合した飲食店をより適切に探し出すことができる。
更に、本動作例１によれば、第２携帯電話機１１の利用者は、上記登録情報とともに表示手段２０３に表示された日付時刻情報により、その登録情報が提供された日付及び時刻を確認することができる。よって、登録情報の新しさ又は古さを把握した状態で、その登録情報を利用することができる。
【００５４】
なお、本動作例１では、登録情報が飲食店についての情報である場合について説明したが、これに制限されることなく、地図画面上に表示されるあらゆる場所についての情報を利用することができる。
また、本動作例１では、登録情報が第１携帯電話機１０の利用者が入力した文字情報である場合について説明したが、これに制限されることなく、画像情報（上記特定の飲食店の店内をカメラ部１２１で撮影したときの画像情報等）や、音情報（上記文字情報の代わりにその内容を利用者が話して録音した音声情報等）などであってもよい。この場合、その登録情報が文字情報であるときと、画像情報であるときと、音情報であるときとで、互いに異なるマーク、例えば文字情報は「！」マークとし、画像情報は「Ｐ」マークとし、音情報は音符マークとするようにしてもよい。具体的には、次のような構成とする。すなわち、情報提供サーバ３０のデータベース記憶手段３０１に予め登録情報の種類に応じて互いに異なるマークを示す複数のマーク情報が登録されたマーク情報データベースを記憶しておく。また、情報提供サーバ３０に、情報提供サーバ３０の受信手段３０２が受信した登録情報の種類に対応したマーク情報をマーク情報データベースの中から選択するマーク情報選択手段を設ける。このマーク情報選択手段は、ＣＰＵ等からなるハードウェア上で所定のプログラムを実行することにより、その機能を実現することができる。そして、情報提供サーバ３０の登録手段３０３は、受信手段３０２が登録情報を受信したとき、その登録情報に関連付けた状態でマーク情報選択手段が選択したマーク情報を上記登録情報データベースに登録する。その後、第２携帯電話機１１から送信される取得要求を受信したとき、登録情報データベースに登録された当該該取得要求に係る登録情報並びにこれに関連付けられた位置情報及びマーク情報を、第２携帯電話機１１へ配信する。なお、登録情報が同じ種類（例えば文字情報）でも、その内容に応じて互いに異なるマークとしてもよい。
また、本動作例１において、例えば第２携帯電話機１１が現在位置している場所周辺でおいしそうなメニューを提供する飲食店を探す場合には、上記情報提供サーバ３０へ地図データ取得要求を送信する時点又はその直前におけるＧＰＳ位置情報、エリア位置情報及び施設位置情報の少なくとも１つを、上記位置情報としてその地図データ取得要求に含ませるようにすればよい。
【００５５】
〔動作例２〕
次に、本実施形態１における情報配信システムにおける処理動作の他の例（以下、本例を「動作例２」という。）について説明する。
本動作例２においては、第１携帯電話機１０の利用者が、第１携帯電話機１０の登録情報入力手段を構成するキー操作部１２０を用いて、現在位置している場所に関する情報（登録情報）を画像で入力し、その登録情報を第２携帯電話機１１の利用者が地図画面から確認できるサービスを提供するものである。なお、このサービスを利用する第１携帯電話機１０の利用者からは、自分が登録した登録情報を他人に配信する旨の承諾を予め受けておく。
以下、特定の飲食店についての情報（店内の雰囲気の情報など）を第１携帯電話機１０の利用者が登録情報として情報提供サーバ３０の登録情報データベースに登録する場合を例に挙げて説明する。なお、登録情報を情報提供サーバ３０の登録情報データベースに登録した後の処理動作は、上記動作例１の場合と同様であるので説明を省略する。
【００５６】
図９は、本情報配信システムにおける処理動作の流れを示すシーケンスフロー図である。
本動作例２において、第１携帯電話機１０の利用者が登録情報を情報提供サーバ３０の登録情報データベースに登録する場合、まず、その利用者は、上記特定の飲食店に訪れたときに第１携帯電話機１０のカメラ部１２１を用いて例えば当該特定の飲食店の店内を撮影する。具体的には、キー操作部１２０に対して特定の操作が行われると、第１携帯電話機１０の登録情報入力手段１０２が撮像処理を行う。この撮像処理時において、第１携帯電話機１０の位置情報取得手段１０４は、当該第１携帯電話機１０の現在位置を示す現在位置情報、本動作例２では当該撮像処理時又はその直前に取得したＧＰＳ位置情報を取得する。なお、ＧＰＳ位置情報に代えて又はこれとともに、エリア位置情報や施設位置情報を用いてもよい。また、この撮像処理時において、日付時刻情報取得手段１０３は、現在の日付時刻情報を取得する。
【００５７】
このようにして利用者が店内を撮影すると、第１携帯電話機１０の情報保存手段１０５は、登録情報入力手段が撮像した画像情報を、上記位置情報取得手段１０４が取得した現在位置情報すなわち上記特定の飲食店の場所を示す位置情報及び上記日付時刻情報取得手段１０３が取得した日付時刻情報と関連付けた状態で、情報記憶手段１０１に記憶する。その後、送信手段１０６は、情報記憶手段１０１に保存された登録情報、位置情報及び日付時刻情報を、携帯電話通信網２０を介して上記情報提供サーバ３０へ送信する。
【００５８】
これらの情報は、情報提供サーバ３０の受信手段３０２により受信される。このとき、情報提供サーバ３０は、これらの情報を受信した旨のレスポンスを上記第１携帯電話機１０に返信する。そして、情報提供サーバ３０の登録手段３０３は、これらの情報を互いに関連付けた状態でデータベース記憶手段３０１の登録情報データベースに登録する。また、情報提供サーバ３０の制御部１１１は、受信した位置情報を含む地図データをデータベース記憶手段３０１の地図データベースから読み出し、この地図データに基づく地図画面上の当該位置情報が示す場所に写真マーク（例えば「Ｐ」のマーク）を表示させるデータ処理を行うとともに、この写真マークに当該位置情報に関連付けられた登録情報データベース内の登録情報及び日付時刻情報にリンクを張る処理を行う。これらの処理により、地図データベース内の当該地図データが更新される。
【００５９】
以上、本動作例２においては、第２携帯電話機１１の利用者は、例えば旅行先等で雰囲気の良さそうな飲食店を探す場合、表示手段２０３に表示された当該旅行先等の地図画面上の写真マークを操作手段２０２により選択することにより、第１携帯電話機１０の利用者（他人）が登録した当該特定の飲食店についての登録情報（画像情報）を表示して、店内の雰囲気を確認することができる。本動作例２によれば、第２携帯電話機１１の利用者は、当該特定の飲食店自身が提供する情報よりも客観的で有用な他の利用者による情報（客の目から見た店内の雰囲気等）を得ることができ、自分の探している条件に適合した飲食店をより適切に探し出すことができる。
更に、本動作例２によれば、上記動作例１の場合と同様に、第２携帯電話機１１の利用者は、上記登録情報とともに表示手段２０３に表示された日付時刻情報により、その登録情報に係る画像が撮影された日付及び時刻を確認することができる。よって、登録情報の新しさ又は古さを把握した状態で、その登録情報を利用することができる。
なお、本動作例２では、登録情報が飲食店についての情報である場合について説明したが、これに制限されることなく、地図画面上に表示されるあらゆる場所についての情報を利用することができる。
また、本動作例２では、登録情報が第１携帯電話機１０の利用者がその場で撮影した画像情報である場合について説明したが、これに制限されることなく、その場で入力した文字情報や、その場で録音した音情報（上記文字情報の代わりにその内容を利用者が話して録音した音声情報等）などであってもよい。この場合、上記動作例１の場合と同様に、その登録情報が文字情報であるときと、画像情報であるときと、音情報であるときとで、互いに異なるマークとするようにしてもよい。
【００６０】
なお、本実施形態１においては、説明を簡単化するために、情報提供元となる第１携帯電話機１０と配信対象となる第２携帯電話機１１とが１つずつである場合について説明したが、情報提供元も配信対象も、いずれも２以上であってもよい。特に、情報提供元の第１携帯電話機１０が多数あれば、情報提供サーバ３０の登録情報データベースに登録される登録情報の数も多くなり、その登録情報が配信される第２携帯電話機１１の利用者にとって有用な情報が増える。したがって、本情報配信システムによるサービスをより充実したものとすることができる。
また、本実施形態１の説明では、情報提供元となる第１携帯電話機１０と配信対象となる第２携帯電話機１１とを互いに区別しているが、これらを区別せず、本情報配信システムを構成する携帯電話機が第１携帯電話機１０と第２携帯電話機１１の両方の機能を併せ持つようにしてもよい。この場合、本情報配信システムを構成するすべての携帯電話機の利用者間で、それぞれが登録したすべての登録情報を共有することができる。
【００６１】
〔変形例〕
次に、上記実施形態１の変形例について説明する。
本変形例の情報配信システムでは、複数の携帯電話機でグループを形成し、そのグループに属する第１携帯電話機１０から送信された登録情報は、そのグループに属する第２携帯電話機１１でしか確認できないというものである。なお、以下の説明では、上記実施形態１の動作例２についての変形例として説明するが、上記動作例１においても同様である。
【００６２】
図１０は、本変形例における情報配信システムの処理動作の流れを示すシーケンスフロー図である。
本変形例においては、まず、各携帯電話機１０は、それぞれ同じグループに登録する処理を行う。具体的には、例えば第１携帯電話機１０から情報提供サーバ３０に対して新規グループを登録するための新規グループ登録要求を送信する。この新規グループ登録要求には、第１携帯電話機１０を特定するための端末特定情報であるＵＩＤが含まれている。この新規グループ登録要求を受信した情報提供サーバ３０は、新規グループ登録処理を行う。詳しくは、情報提供サーバ３０は、新しい登録情報データベースと地図データベースを作成し、これらをグループＩＤに関連付けた状態でデータベース記憶手段３０１に記憶する。また、情報提供サーバ３０は、グループデータベースを生成し、これをデータベース記憶手段３０１に記憶する。グループデータベースは、上記第１携帯電話機１０のＵＩＤをグループＩＤに関連付けた状態で登録したものである。
【００６３】
一方、すでに登録されているグループに例えば第２携帯電話機１１が参加する場合、第２携帯電話機１１から情報提供サーバ３０に対して既存のグループに参加するためのグループ参加要求を送信する。このグループ参加要求には、第２携帯電話機１１を特定するための端末特定情報であるＵＩＤと、参加を希望するグループのグループＩＤが含まれている。このグループＩＤは、例えば第１携帯電話機１０の利用者から入手したり、グループ登録用サイトから入手したりする。このグループ参加要求を受信した情報提供サーバ３０は、グループ参加処理を行う。詳しくは、情報提供サーバ３０は、そのグループ参加要求に含まれるＵＩＤを、そのグループ参加要求に含まれるグループＩＤに関連付けられたグループデータベースに登録する処理を行う。
なお、第２携帯電話機１１により新規グループ登録を行い、そのグループに第１携帯電話機１０が参加するようにしてもよい。
【００６４】
このようにして登録処理を終えたら、上記動作例２と同様に、第１携帯電話機１０の利用者が登録情報を情報提供サーバ３０の登録情報データベースに登録する。具体的には、まず、その利用者は、上記特定の飲食店に訪れたときに第１携帯電話機１０のカメラ部１２１を用いて例えば当該特定の飲食店の店内を撮影する。そして、このようにして利用者が店内を撮影すると、第１携帯電話機１０の情報保存手段１０５は、登録情報入力手段が撮像した画像情報を、上記位置情報取得手段１０４が取得した現在位置情報すなわち上記特定の飲食店の場所を示す位置情報及び上記日付時刻情報取得手段１０３が取得した日付時刻情報と関連付けた状態で、情報記憶手段１０１に記憶する。その後、送信手段１０６は、情報記憶手段１０１に保存された登録情報、位置情報及び日付時刻情報を、グループＩＤ（グループ特定情報）とともに、携帯電話通信網２０を介して上記情報提供サーバ３０へ送信する。
【００６５】
これらの情報は、情報提供サーバ３０の受信手段３０２により受信される。このとき、情報提供サーバ３０は、これらの情報を受信した旨のレスポンスを上記第１携帯電話機１０に返信する。そして、情報提供サーバ３０の登録手段３０３は、受信したグループＩＤにより特定されるグループの登録情報データベースに、登録情報、位置情報及び日付時刻情報を互いに関連付けた状態でデータベース記憶手段３０１の登録情報データベースに登録する。また、情報提供サーバ３０の制御部１１１は、受信したグループＩＤにより特定されるグループの地図データベースから、受信した位置情報を含む地図データを読み出し、この地図データに基づく地図画面上の当該位置情報が示す場所に写真マーク（例えば「Ｐ」のマーク）を表示させるデータ処理を行うとともに、この写真マークに当該位置情報に関連付けられた登録情報データベース内の登録情報及び日付時刻情報にリンクを張る処理を行う。これらの処理により、地図データベース内の当該地図データが更新される。
【００６６】
一方、第２携帯電話機１１の利用者は、同じグループに属する第１携帯電話機１０の利用者が登録した登録情報を確認する場合、まず、キー操作部１２０に対して特定の操作を行い、地図画面を表示部１１９に表示させる。具体的には、キー操作部１２０に対して特定の操作が行われると、第２携帯電話機１１の送信手段２０５は、上記情報提供サーバ３０へ地図データ取得要求を送信する。この地図データ取得要求には、上記利用者の旅行先の場所を示す位置情報のほか、グループＩＤ（グループ特定情報）も含まれる。この地図データ取得要求を受信した情報提供サーバ３０は、当該地図データ取得要求に含まれるグループＩＤにより特定されるグループの地図データベースから、当該地図データ取得要求に含まれる位置情報が示す場所を含んだ地図データを読み出す。そして、情報提供サーバ３０は、読み出した地図データを、当該地図データ取得要求の送信元である第２携帯電話機１１へ送信する。この地図データを第２携帯電話機１１の受信手段２０６が受信すると、上記動作例１で説明したように、表示制御手段２０４がその地図データに基づく地図画面を表示手段２０３に表示させる。そして、利用者は、地図画面上に表示された「！」で示すコメントマークを選択用アイコンで選択すると、液晶ディスプレイには、登録情報の内容等が表示される。
【００６７】
以上、本変形例においては、第１携帯電話機１０の利用者が登録した登録情報を確認できるのは、その第１携帯電話機１０と同じグループに属する他の携帯電話機（第２携帯電話機１１）だけとなり、同じグループに属しない携帯電話機では上記登録情報を確認することができない。よって、第１携帯電話機１０から見れば、自分の登録情報を確認できるのは同じグループに属する携帯電話機に限られるため、登録情報の使用について安全性が高い。
また、本情報配信システムを構成する携帯電話機が第１携帯電話機１０と第２携帯電話機１１の両方の機能を併せ持つようにした場合、同じグループに属する携帯電話機の利用者間で、それぞれが登録した登録情報を互いに共有することができる。その結果、例えば様々な種類の情報共有コミュニティ（グループ）を形成し、そのコミュニティ内で情報を共有するというようなサービスの提供が可能となる。例えば、特定地域（渋谷駅周辺地域、フランス国のパリ地区等）ごと、特定の趣味（ケーキが好き、登山が好き等）ごと、特定の友達グループごとに、グループを形成すれば、自分にとって有用な情報をより適切に又は簡単に得ることが可能となる。
【００６８】
〔実施形態２〕
次に、本発明を、情報提供元である第１の移動体通信端末としての第１携帯電話機と、情報の配信対象である第２の移動体通信端末としての第２携帯電話機と、第２携帯電話機に対して登録情報データベースに登録された登録情報及び第１携帯電話機の現在位置情報を配信する情報配信装置とを含む情報配信システムに適用した一実施形態（以下、本実施形態を「実施形態２」という。）について説明する。
【００６９】
本実施形態における情報提供サーバ３０は、上記実施形態１のものと同様のハードウェア構成を有する。ただし、本実施形態２における情報提供サーバ３０の受信手段３０２は登録情報受信手段及び現在位置情報受信手段として機能し、配信手段３０４は登録情報配信手段及び現在位置情報配信手段として機能する。
また、本実施形態における携帯電話機１０，１１も、上記実施形態１のものと同様のハードウェア構成を有する。ただし、本実施形態２における第１携帯電話機１０の送信手段１０６は登録情報送信手段及び現在位置情報送信手段として機能し、第２携帯電話機１１の送信手段２０５は現在位置情報取得要求送信手段として機能する。また、第２携帯電話機１１の受信手段２０６は、登録情報受信手段及び現在位置情報受信手段として機能する。
【００７０】
以下、本実施形態２における情報配信システムにおける処理動作の一例について説明する。
本実施形態２においては、まず、上記変形例で説明したように、第１携帯電話機１０及び第２携帯電話機１１を同じグループに登録した後、第１携帯電話機１０の現在位置を第２携帯電話機１１の利用者が地図画面から確認できるサービスを提供するものである。更に、このサービスでは、第１携帯電話機１０の利用者が登録情報である自分のプロフィール（自分の紹介や自分の写真等）を第１携帯電話機１０に入力し、その登録情報を第２携帯電話機１１の利用者が地図画面から確認することもできる。
【００７１】
図１１は、本情報配信システムにおける処理動作の流れを示すシーケンスフロー図である。なお、グループ登録の際の処理動作については、上記変形例の場合と同様であるので図示を省略してある。ただし、本実施形態２では、地図データベースをグループごとに生成しない点で上記変形例とは異なっている。
第１携帯電話機１０及び第２携帯電話機１１の登録処理を終えた後、第１携帯電話機の利用者が登録情報（自分のプロフィール）を情報提供サーバ３０の登録情報データベースに登録する場合、まず、その利用者は、キー操作部１２０に対して特定の操作を行うことで、登録情報入力画面を表示部１１９に表示させる。そして、第１携帯電話機１０の利用者は、キー操作部１２０を操作して、この登録情報入力画面に文字や画像等により自分のプロフィールを入力する。このようにして利用者が自分のプロフィールを入力し、その後キー操作部１２０の多機能キーを押すと、第１携帯電話機１０の送信手段１０６は、そのプロフィール（登録情報）を、第１携帯電話機１０の端末特定情報であるＵＩＤ１と関連付けた状態で、携帯電話通信網２０を介して上記情報提供サーバ３０へ送信する。これらの情報は、情報提供サーバ３０の受信手段３０２により受信される。そして、情報提供サーバ３０の登録手段３０３は、受信したＵＩＤ１が関連付けられたグループＩＤをグループデータベースから読み出す。したがって、このときに第１携帯電話機１０から送信されるＵＩＤ１は、グループ特定情報として用いられる。その後、読み出したグループＩＤにより特定されるグループの登録情報データベースに、受信した登録情報を受信したＵＩＤ１に関連付けた状態で登録する。
【００７２】
このようにして登録情報データベースへの登録情報の登録処理が終わると、第１携帯電話機１０の現在位置情報送信手段は、現在位置情報の取得を開始し、取得した現在位置情報を所定のタイミングで情報提供サーバ３０へ送信する。本実施形態２における現在位置情報は、上記ＧＰＳ情報を用い、定期的（例えば１分間隔）にＧＰＳ情報を取得する。取得したＧＰＳ情報は、その都度、ＵＩＤ１と関連付けた状態で情報提供サーバ３０へ送信する。これらの情報は、情報提供サーバ３０の受信手段３０２により受信される。そして、情報提供サーバ３０の登録手段３０３は、受信したＵＩＤ１が関連付けられたグループＩＤをグループデータベースから読み出す。その後、読み出したグループＩＤにより特定されるグループの登録情報データベースに、受信した現在位置情報を受信したＵＩＤ１に関連付けた状態で登録する。なお、新たな現在位置情報を登録する場合、登録情報データベース内の現在位置情報を更新する。これにより、登録情報データベース内の現在位置情報は、常に最新の状態に保たれる。
【００７３】
一方、第２携帯電話機１１の利用者は、例えば同じグループの利用者が近くに居るかどうかを調べる場合、まず、キー操作部１２０に対して特定の操作を行い、自分の現在位置の地図画面を表示部１１９に表示させる。具体的には、キー操作部１２０に対して特定の操作が行われると、第２携帯電話機１１の送信手段２０５は、上記情報提供サーバ３０へ地図データ取得要求を送信する。この地図データ取得要求には、第２携帯電話機１１の利用者の現在位置情報も含まれる。この現在位置情報は、上記第１携帯電話機１０の場合と同様にＧＰＳ情報を利用する。地図データ取得要求を受信した情報提供サーバ３０は、データベース記憶手段３０１の地図データベースから当該地図データ取得要求に含まれる位置情報が示す場所を含んだ地図データを読み出す。そして、情報提供サーバ３０は、読み出した地図データを、当該地図データ取得要求の送信元である第２携帯電話機１１へ送信する。
【００７４】
この地図データを第２携帯電話機１１の受信手段２０６が受信すると、この地図データは地図データ記憶手段２０１に記憶される。そして、表示制御手段２０４は、その地図データに基づく地図画面を表示手段２０３に表示させる。この地図画面には、利用者が操作手段２０５により操作することが可能な選択用アイコンと自分の現在位置を示すアイコンが表示されている。また、第２携帯電話機１１の送信手段２０５は、上記情報提供サーバ３０へ現在位置情報取得要求を送信する。この現在位置情報取得要求には、第２携帯電話機１１のＵＩＤ２も含まれる。これらの情報は、情報提供サーバ３０の受信手段３０２により受信される。そして、情報提供サーバ３０の配信手段３０４は、受信したＵＩＤ２が関連付けられたグループＩＤをグループデータベースから読み出す。その後、読み出したグループＩＤにより特定されるグループの登録情報データベースから、第１携帯電話機１０の現在位置情報及びＵＩＤ１を読み出し、これらの情報を当該現在位置情報取得要求の送信元である第２携帯電話機１１へ送信する。これらの情報を第２携帯電話機１１の受信手段２０６が受信すると、表示制御手段２０４は、表示手段２０３に表示されている地図画面上における受信した現在位置情報により特定される位置に相手マークを表示させる。また、表示制御手段２０４は、受信した第１携帯電話機１０のＵＩＤ１を、表示した相手マークに埋め込む処理を行う。なお、第２携帯電話機１１の送信手段２０５は、現在位置情報取得要求の送信を定期的に行う。そして、第１携帯電話機１０の新たな現在位置情報を受信するたびに、表示制御手段２０４は地図画面上の相手マークの位置を更新する。これにより、第２携帯電話機１１の利用者は、地図画面を見ることで、第１携帯電話機１０の現在位置を確認することができる。
【００７５】
ここで、第２携帯電話機１１の利用者は、第１携帯電話機１０の利用者のプロフィールを確認する場合、その地図画面を見ながら操作手段２０２を操作して、地図画面上の選択用アイコンを相手マークに移動させ、これを選択する。すると、その操作内容が送信手段２０５に送られ、送信手段２０５は、携帯電話通信網２０を介して上記情報提供サーバ３０へ登録情報取得要求を送信する。この登録情報取得要求には、当該相手マークに埋め込まれた第１携帯電話機１０のＵＩＤ１が含まれている。この登録情報取得要求を受信した情報提供サーバ３０は、受信したＵＩＤ１が関連付けられたグループＩＤをグループデータベースから読み出す。その後、読み出したグループＩＤにより特定されるグループの登録情報データベースから、第１携帯電話機１０の登録情報を読み出し、この登録情報を当該登録情報取得要求の送信元である第２携帯電話機１１へ配信する。この登録情報を第２携帯電話機１１の受信手段２０６が受信すると、第２携帯電話機１１の表示制御手段２０４は、その登録情報の内容を表示手段２０３に表示させる。これにより、液晶ディスプレイには、上記登録情報の内容すなわち上記第１携帯電話機１０の利用者のプロフィールの内容が表示される。
【００７６】
以上、本実施形態２においては、第２携帯電話機１１の表示手段２０３に表示された地図画面上に同じグループに属する他の携帯電話機（第１携帯電話機１０）の現在位置が表示されるので、例えば同じグループの利用者が自分の近くに居るかどうかを調べることができる。また、表示手段２０３に表示された第１携帯電話機１０の現在位置を示す相手マークを操作手段２０２により選択することにより、第１携帯電話機１０の利用者（他人）が登録した登録情報（プロフィール）を表示して、その利用者のプロフィール等の情報を確認することができる。よって、例えば自分の近くにいる同じグループに属する第１携帯電話機１０の利用者がどのようなプロフィールをもつ者なのかを知ることができる。
なお、本実施形態２では、登録情報がプロフィール情報である場合について説明したが、これに制限されることなく、第１携帯電話機１０の利用者が登録したあらゆる情報を利用することができる。
また、本実施形態２において、上記実施形態１の場合と同様に、登録情報とともに、例えばその登録情報が入力された日付時刻情報等の時情報もあわせて第２携帯電話機１１で確認できるようにしてもよい。この場合、登録情報の新しさ又は古さを把握した状態で、その登録情報を利用することができる。
その他、上記実施形態１において述べた各種変形（現在位置情報として、ＧＰＳ位置情報に代えて又はこれとともにエリア位置情報や施設位置情報を用いてもよい等）は、本実施形態２においても同様に適用できる。
【００７７】
なお、上述した説明では、携帯電話機における情報配信システムについて説明したが、携帯電話機以外の移動体通信端末における情報配信システムであっても同様である。
【図面の簡単な説明】
【００７８】
【図１】実施形態１に係る情報配信システム全体の概略構成図。
【図２】同情報配信システムを構成する情報提供サーバの機能ブロック図。
【図３】同情報配信システムを構成する携帯電話機のハードウェア構成の一例を示すブロック図。
【図４】第１携帯電話機の機能ブロック図。
【図５】第２携帯電話機の機能ブロック図。
【図６】動作例１における同情報配信システムにおける処理動作の流れを示すシーケンスフロー図。
【図７】（ａ）及び（ｂ）は同第１携帯電話機の液晶ディスプレイに表示される地図画面を示す説明図。
【図８】（ａ）及び（ｂ）は同第２携帯電話機の液晶ディスプレイに表示される地図画面を示す説明図。
【図９】動作例２における同情報配信システムの処理動作の流れを示すシーケンスフロー図。
【図１０】変形例における情報配信システムの処理動作の流れを示すシーケンスフロー図。
【図１１】実施形態２における情報配信システムにおける処理動作の流れを示すシーケンスフロー図。
【符号の説明】
【００７９】
１０  第１携帯電話機
１１  第２携帯電話機
２０  携帯電話通信網
３０  情報提供サーバ
１０２  登録情報入力手段
１０６  送信手段
２０１  地図データ記憶手段
２０２  操作手段
２０３  表示手段
２０４  表示制御手段
２０５  送信手段
２０６  受信手段
３０１  データベース記憶手段
３０２  受信手段
３０３  登録手段
３０４  配信手段
【図１】
2006332830.tif 000004
【図２】
2006332830.tif 000005
【図３】
2006332830.tif 000006
【図４】
2006332830.tif 000007
【図５】
2006332830.tif 000008
【図６】
2006332830.tif 000009
【図７】
2006332830.tif 000010
【図８】
2006332830.tif 000011
【図９】
2006332830.tif 000012
【図１０】
2006332830.tif 000013
【図１１】
2006332830.tif 000014